(57)【特許請求の範囲】
【請求項１】
演出画像を表示画面に表示する画像表示装置と、
この画像表示装置の表示画面の前方に配置され、前記画像表示装置の表示画面に平行な面内で回転駆動可能に設けられて表示画面を目視可能とする開口を有する回転板と、
この回転板に取付けられて当該回転板の回転に伴って回転するとともに、前記開口の内外に出没して前記表示画面の前方から見た場合に前記表示画面の少なくとも一部を遮る位置と表示画面を遮らない位置とに移動可能に構成された可動体と、
前記回転板を駆動する駆動手段と、
前記回転板を駆動する駆動手段とは別に設けられて前記可動体を駆動する駆動手段と、
前記各駆動手段の駆動及び前記画像表示装置の表示を制御して前記表示画面に演出画像を表示するとともに、前記回転板を回転中心を中心として、正方向回り、又は、逆方向回りに回転させたり、前記可動体を回転中心に近付く方向、又は、回転中心から離れる方向に移動させる演出制御装置と、
を備えたことを特徴とする遊技機。
【請求項２】
前記可動体は、両開きの一対の扉部材により構成され、前記演出制御装置は、各扉部材を連動して又は各扉部材をそれぞれ単独で移動させるよう駆動手段を駆動制御することを特徴とする請求項１に記載の遊技機。
【請求項３】
前記可動体は、前記表示画面の前方に向かって光を発光する発光素子を有した発光部を備え、前記演出制御装置は、前記発光素子の発光を制御して前記演出画像と関連した光演出を行うことを特徴とする請求項１又は請求項２に記載の遊技機。
【請求項４】
前記演出制御装置は、前記駆動手段の駆動及び前記画像表示装置の表示を制御して前記回転板を回転させるとともに前記扉部材を移動させ、前記回転板の回転に応じて前記表示画面に表示する演出画像の向きを変化させることを特徴とする請求項２に記載の遊技機。
【請求項５】
前記可動体の前方に遊技球が打ち込まれる遊技領域を形成した遊技盤が設けられたことを特徴とする請求項１乃至請求項４のいずれか一項に記載の遊技機。
【発明の詳細な説明】
【技術分野】
【０００１】
本発明は、可動体による変化に富んだ演出を実現可能なパチンコ機やパチスロ機等の遊技機に関する。
【背景技術】
【０００２】
画像表示装置の表示画面の前方に遊技盤を備え、遊技盤の盤面と平行に位置して遊技盤の前方から見た場合に表示画面の少なくとも一部を遮る状態と表示画面を遮らない状態とに左右に移動可能な可動体を備えたパチンコ機が知られている（特許文献１等参照）。
【先行技術文献】
【特許文献】
【０００３】
【特許文献１】特開２００７−２５２５３３号公報
【発明の概要】
【発明が解決しようとする課題】
【０００４】
従来のパチンコ機では、可動体が画像表示装置の表示画面の前方を左右に移動する動き演出が行われるだけなので、可動体による変化に富んだ演出を行えないという問題があった。
本発明は、画像表示装置の表示画面と可動体との協働による変化に富んだ演出を実現可能な遊技機を得ることを目的とする。
【課題を解決するための手段】
【０００５】
本発明に係る遊技機は、演出画像を表示画面に表示する画像表示装置と、この画像表示装置の表示画面の前方に配置され、画像表示装置の表示画面に平行な面内で回転駆動可能に設けられて表示画面を目視可能とする開口を有する回転板と、この回転板に取付けられて当該回転板の回転に伴って回転するとともに、開口の内外に出没して表示画面の前方から見た場合に表示画面の少なくとも一部を遮る位置と表示画面を遮らない位置とに移動可能に構成された可動体と、回転板を駆動する駆動手段と、回転板を駆動する駆動手段とは別に設けられて可動体を駆動する駆動手段と、各駆動手段の駆動及び画像表示装置の表示を制御して表示画面に演出画像を表示するとともに、回転板を回転中心を中心として、正方向回り、又は、逆方向回りに回転させたり、可動体を回転中心に近付く方向、又は、回転中心から離れる方向に移動させる演出制御装置とを備えたことにより、可動体が画像表示装置の表示画面の前方で回転方向及び移動方向が変化しながら表示画面に表示される画像と協働した演出を行なうことができるので、画像表示装置の表示画面に表示された画像と可動体との協働による変化に富んだ演出を実現することができる。
さらに、可動体は、両開きの一対の扉部材により構成され、演出制御装置は、各扉部材を連動して又は各扉部材をそれぞれ単独で移動させるよう駆動手段を駆動制御することにより、画像表示装置の表示画面に表示された画像と両開きの一対の扉部材との協働による変化に富んだ演出を実現することができる。
さらに、可動体は、表示画面の前方に向かって光を発光する発光素子を有した発光部を備え、演出制御装置は、発光素子の発光を制御して演出画像と関連した光演出を行うことにより、表示画面に表示された画像と可動体の発光部との協働による変化に富んだ演出を実現することができる。
さらに、演出制御装置は、駆動手段の駆動及び画像表示装置の表示を制御して回転板を回転させるとともに扉部材を移動させ、回転板の回転に応じて表示画面に表示する演出画像の向きを変化させることにより、表示画面に表示された画像の向きの変化と扉部材の回転及び移動動作との協働による変化に富んだ演出を実現することができる。
さらに、可動体の前方に遊技球が打ち込まれる遊技領域を形成した遊技盤が設けられたことにより、パチンコ遊技等の遊技球を用いた遊技を行いながら画像表示装置の表示画面に表示された画像と可動体との協働による変化に富んだ演出を実現することができる。
【図面の簡単な説明】
【０００６】
【図１】本発明の一実施形態に係るパチンコ機の外観斜視図である。
【図２】図１に示したパチンコ機に備えられる遊技盤の正面図である。
【図３】図２に示した遊技盤に設けられた可動役物装置の正面図である。
【図４】図３に示した可動役物装置の後面図である。
【図５】図３に示した組立品の後面図である。
【図６】図５のＡ−Ａ断面図である。
【図７】図３に示した回転板の正面図である。
【図８】図３のＢ−Ｂ断面図である。
【図９】初期姿勢を成した回転板の正面図である。
【図１０】図９に示した回転板が時計方向の限界角度まで回転した状態の正面図である。
【図１１】図９に示した回転板が反時計方向の限界角度まで回転した状態の正面図である。
【図１２】図２に示した遊技盤に備えられた遊技盤本体と図４に示したケースの位置関係を示す分解斜視図である。
【図１３】遊技盤本体にケースが取付けられた状態の正面図である。
【図１４】フォトインタラプタが取付けられたケースの前面と、このケースの後面側に配された表示部を示す正面図である。
【図１５】図１４のＣ部拡大図である。
【図１６】図１３のＤ−Ｄ断面図である。
【図１７】図１２のＥ部拡大図である。
【図１８】遮光板が設けられた回転板の後面図である。
【図１９】扉部材のそれぞれの駆動手段の正面図である。
【図２０】図１９に示した両駆動手段の平面図である。
【図２１】扉部材の退避状態を示す斜視図である。
【図２２】扉部材のスライド動作中の様子の一例を示す斜視図である。
【図２３】扉部材の当接状態を示す斜視図である。
【図２４】扉部材のそれぞれの駆動手段の一部が空間に収容された状態を簡略化して示す断面図である。
【図２５】図３に示した左扉部材の後面側の斜視図である。
【図２６】図２５に示した左扉部材の上部からフラットケーブルが導出された状態の斜視図である。
【図２７】図２５に示した左扉部材の分解斜視図である。
【図２８】図２７に示した回路基板に実装された発光素子及びコネクタを回路基板を透かして示した斜視図である。
【図２９】図２７に示したスペーサ単体の斜視図である。
【図３０】図２７に示した装飾ケース単体の斜視図である。
【図３１】扉部材の離隔状態において扉部材のそれぞれに設けられた第１，第２小発光部が発光した状態の正面図である。
【図３２】図３１に示した第１，第２小発光部が扉部材の当接に伴い線状に並んだ状態の正面図である。
【図３３】扉部材の離隔状態において扉部材のそれぞれに設けられた図３１に示したものとは別の第１，第２小発光部が発光した状態の正面図である。
【図３４】図３３に示した第１，第２小発光部が扉部材の当接に伴い線状に並んだ状態の正面図である。
【図３５】扉部材の離隔状態において扉部材のそれぞれに設けられた第１，第２縁発光部が発光した状態の正面図である。
【図３６】図３５に示した第１，第２縁発光部が扉部材の当接に伴い近接して位置した状態の正面図である。
【図３７】図２５のＦ−Ｆ断面図である。
【図３８】図２５のＦ−Ｆ切断線に対応する個所での図２６の断面図である。
【図３９】図３８に示した装飾ケースの壁部とスペーサの端面から構成された挟持部に配されるフラットケーブルの折返し部の斜視図である。
【図４０】図２９のＧ部拡大図である。
【図４１】図３０のＨ部拡大図である。
【図４２】パチンコ機の制御ブロック図である。
【図４３】本発明の一実施形態に係るパチンコ機の分解斜視図である。
【図４４】図１に示したパチンコ機に備えられた遊技盤の正面図である。
【図４５】固定発光部と表示画面と扉部材との関係を示す簡略正面図である。
【図４６】固定発光部と表示画面と扉部材との関係を示す簡略正面図である。
【図４７】演出例を示す図。
【図４８】演出例を示す図。
【図４９】演出例を示す図。
【図５０】演出例を示す図。
【発明を実施するための形態】
【０００７】
本発明の遊技機の一実施形態に係るパチンコ機について図１〜図４６を用いて説明する。
なお、本明細書において、「前」、「後」、「左」、「右」、「上」、「下」の方向は、図１の状態に遊技機枠１Ａを置いて矢印Ａで示す前側から見た場合に特定される方向である。
【０００８】
図４３に示すように、本実施形態に係るパチンコ機Ｐは、遊技機枠１Ａ、遊技機枠１Ａの遊技盤取付部３ａに取付けられた遊技盤３、遊技盤取付部３ａの後面に取付けられた可動役物装置１３、可動役物装置１３の後面に取付けられた画像表示装置１４、図外の制御装置を備えて構成される。
【０００９】
図４３，図１に示すように、遊技機枠１Ａは、遊技場の島と呼ばれる図外の遊技設置構造体に取付けられる外枠と呼ばれるような固定枠１と、固定枠１に開き戸状に開閉自在に取付けられた内枠と呼ばれるような開閉枠２と、開閉枠２に開き戸状に開閉自在に取付けられた前扉４及び皿構造体５とを備える。例えば、固定枠１は木枠により形成され、開閉枠２、前扉４、皿構造体５は合成樹脂により形成される。
開閉枠２は、例えば、左側のヒンジ２ａ，２ａで前側横方向に片開き可能かつ着脱可能（交換可能）に固定枠１に取付けられる。前扉４は、例えば、左側上部のヒンジ２ｂ，２ｂで前側横方向に片開き可能かつ着脱可能（交換可能）に開閉枠２に取付けられる。皿構造体５は、例えば、左側下部のヒンジ２ｃ，２ｃで前側横方向に片開き可能かつ着脱可能（交換可能）に開閉枠２に取付けられる。
前扉４は、前後方向に開放された窓４ａを囲む額縁形状の枠部４ｂを備え、ガラス又は合成樹脂からなる光透過性を有する前面パネル４ｃが窓４ａを後方から覆うように枠部４ｂの後面に取付けられた構成である。
皿構造体５は、発射操作機構（発射ハンドル）６、受皿７等を備える。
【００１０】
図４３，図１２に示すように、開閉枠２の内側上部には、例えば合成樹脂製の遊技盤取付部３ａが、開閉枠２と一体に又は図外の取付手段により開閉枠２に着脱可能に設けられる。遊技盤取付部３ａは、盤取付板３ｚと盤取付板３ｚの外周より前方に突出する外周壁３ｙとを備え、盤取付板３ｚの前面と外周壁３ｙとで区画されて開閉枠２の前面より後方に窪んだ遊技盤収容凹部３ｘを備える。遊技盤３は、遊技盤収容凹部３ｘ内に収容された状態で図外の取付手段により盤取付板３ｚの前面に取付けられる。開閉枠２の内側下部には、発射装置１０９等が設けられる。盤取付板３ｚには、盤取付板３ｚの前面と後面とに貫通する貫通孔３ｃが設けられる。
【００１１】
図４３に示すように、遊技盤３は、化粧板と呼ばれる遊技基板３ｂと、遊技基板３ｂの前面に取付けられた前板３ｆとにより構成される。
遊技基板３ｂは、例えば所定厚さの合成樹脂板やベニヤ板等により形成され、遊技基板３ｂの前面にはその遊技盤の遊技テーマにあわせた多種多様の装飾が施されるとともに、それらの装飾には複数の多色発光ダイオード（発光素子）が取付けられ、遊技状態や演出状態に対応した複数の色で発光して表示されるよう構成されている。遊技基板３ｂの中央部には遊技基板３ｂの前面と後面とを貫通する逃孔として機能する貫通孔３Ｄが形成されて、画像表示装置１４の表示画面１４ａがこの貫通孔３Ｄから見えるよう構成されている。
前板３ｆは、透明アクリル板等の合成樹脂からなる光透過性を有した透明板により形成され、前板３ｆの中央部には前板３ｆの前面と後面とを貫通する逃孔として機能する貫通孔３Ｆが形成されて、画像表示装置１４の表示画面１４ａがこの貫通孔３Ｆから見えるよう構成されている。
遊技基板３ｂの前面に設けられた装飾は、遊技基板３ｂの前面に施された模様や絵等の平面装飾、遊技基板３ｂの前面より突出する立体形状に形成された立体装飾を含んでいる。この立体装飾を避けるように前板３ｆが遊技基板３ｂの前面より離れた位置に設けられる。即ち、前板３ｆと遊技基板３ｂとが所定の間隔を隔てて互いに平行に配置された状態で図外の連結具により互いに連結される。
【００１２】
図４３，図４５に示すように、遊技基板３ｂの前面には、前記複数の多色発光ダイオードが配された装飾の一部として、遊技盤取付部３ａに取付けられた状態の遊技盤３の前方に向かって発光するように設けられた遊技盤３の発光部としての複数の固定発光部５０１〜５１６を備える。複数の固定発光部５０１〜５１６は、例えば、貫通孔３Ｄの中心Ｏを中心として放射状に延長するように設けられる。複数の固定発光部５０１〜５１６の後述する導光前面カバー６０２が遊技基板３ｂの前面より前方に突出する立体装飾を形成する。
【００１３】
前板３ｆの前面には、多数の遊技釘３Ｃの他、例えば、役物装置としての中央部装飾ユニット１０、入賞部品１６，１７，１８，１９，２０、ガイドレール８等の遊技部品が取付けられ遊技領域９が形成されている（図４４参照）。
中央部装飾ユニット１０は、透明又は半透明の合成樹脂材料を遊技テーマに合わせて所定の形状に成型し、所望の個所には所望の着色を施し、また、必要な個所は切り欠くことにより、これら透明材料、半透明材料、着色材料、切り欠き部等の各部材を通して、遊技基板３ｂ上に施された各種装飾が垣間見えるように構成されている。そのため、これら中央部装飾ユニット１０を形成する各部材を通して垣間見える遊技基板３ｂ上に配設された装飾は、遊技者側から見ると中央部装飾ユニット１０内の部材及び装飾の一部を構成することとなる。そして、遊技基板３ｂ上に配設された固定発光部５０１〜５１６の該当個所の発光素子からの光を中央部装飾ユニット１０の対応個所から遊技盤３の前方に向けて遊技者に視認可能に透過させることにより、遊技基板３ｂ上の他の固定発光部５０１〜５１６の該当個所から放出され前板３ｆを透過する光と協働して効果的な演出を実行することができる。
中央部装飾ユニット１０は、前板３ｆの貫通孔３Ｆを介して遊技基板３ｂの貫通孔３Ｄ内に入り込んで貫通孔３Ｄの孔壁に対向する筒壁を有した筒部１０ａと、筒部１０ａの後端に設けられて筒部１０ａの後端開口を塞ぐ透明パネル３ｄと、筒部１０ａの前端より筒部１０ａの径方向外側に延長して筒部１０ａの前縁開口を取り囲む装飾部１０Ｗと、前板３ｆの前面に接触した状態で止ねじなどの取付具で前板３ｆの前面に取付けられる取付フランジ部１０ｃとを備える。画像視認用の貫通孔として機能する筒部１０ａの筒孔１０ｘと透明パネル３ｄとで遊技盤３における画像視認用の窓１１が構成される。
中央部装飾ユニット１０は、前板３ｆの前側から筒部１０ａが筒部１０ａの後端側より貫通孔３Ｆ，３Ｄ内に挿入され、取付フランジ部１０ｃが前板３ｆの前面に接触した状態で止ねじ３ｋなどの取付具で前板３ｆの前面に取付けられることにより、前板３ｆに取付けられる。
【００１４】
前板３ｆに取付けられている入賞部品としては、第１始動入賞部品１６、第２始動入賞部品１７、通過チャッカーと呼ばれる普通図柄始動部品１８、アタッカーや大入賞口と呼ばれる可変入賞部品１９、一般入賞部品２０,２０がある（図４４参照）。
第１始動入賞部品１６、第２始動入賞部品１７、可変入賞部品１９、一般入賞部品２０は、球を遊技領域から取り込んで遊技基板３ｂの後面側に排出する図外の球通路を備えた構造であり、当該球通路に球を検出するための球検出器を備えるとともにそれぞれ前板３ｆへの取付フランジ部１６ａ，１７ａ，１９ａ，２０ａを備える。これら入賞部品は、前板３ｆ及び遊技基板３ｂの前面と後面とに貫通するように前板３ｆ及び遊技基板３ｂに形成された図外の逃孔内に球通路が挿入され、取付フランジ部１６ａ，１７ａ，１９ａ，２０ａが前板３ｆの前面に接触した状態で止ねじなどの取付具で前板３ｆの前面に取付けられることにより、前板３ｆに取付けられる。
普通図柄始動部品１８は、球を遊技領域９から取り込んで遊技領域９に排出する図外の球通路を備えた構造であり、当該球通路に球を検出するための球検出器を備えるとともに前板３ｆへの取付フランジ部１８ａを備える。普通図柄始動部品１８は、取付フランジ部１８ａが前板３ｆの前面に接触した状態で止ねじなどの取付具で前板３ｆの前面に取付けられることにより、前板３ｆに取付けられる。
図４２に示すように、第１始動入賞部品１６に設けられる球検出器を第１始動入賞口センサ１００と呼び、第２始動入賞部品１７に設けられる球検出器を第２始動入賞口センサ１０１と呼び、普通図柄始動部品１８に設けられた球検出器を始動ゲートセンサ１０６と呼び、可変入賞部品１９に設けられる球検出器を大入賞口センサ１０７と呼び、一般入賞部品２０に設けられる球検出器を一般入賞口センサ１０８と呼ぶ。
ガイドレール８は、内ガイドレール８ａと外ガイドレール８ｂとを備え、前板３ｆの前面に取付けられた多数の遊技釘３Ｃや他の遊技部品１０，１６，１７，１８，１９，２０を取り囲むように前板３ｆの前面に図外の取付部材により取付けられる。
【００１５】
即ち、遊技盤３は、前板３ｆの前面に中央部装飾ユニット１０の装飾部１０Ｗ、各入賞部品１６，１７，１８，１９，２０の入賞部品等を有し、遊技基板３ｂと前板３ｆとの間に遊技基板３ｂの前面に設けられて遊技基板３ｂの前方に突出する立体装飾を備え、この立体装飾が透明な前板３ｆを通して目視可能に構成されている。
【００１６】
ガイドレール８で囲まれた遊技領域９に各種遊技部品１０，１６，１７，１８，１９，２０が組付けられ遊技釘３Ｃが打ち込まれた状態の前板３ｆが遊技基板３ｂに取付けられることによって、図４４に示すような遊技盤３が完成する。
遊技盤３が遊技盤取付部３ａに取付けられて前扉４が閉じられた状態において、遊技盤３の前面とガイドレール８と前扉４の前面パネル４ｃとで囲まれた領域が、遊技球が打ち込まれてパチンコ遊技が行われる遊技領域９となる。
【００１７】
次に遊技盤取付部３ａに取付けられた状態の遊技盤３の前面構成について図４３，図４４を参照して説明する。
発射装置１０９により発射された球を遊技領域９に導く発射通路８ｃが、遊技盤３の前面の左側において遊技盤３の中央寄りに位置する内ガイドレール８ａと内ガイドレール８ａの外側に位置する外ガイドレール８ｂとで挟まれた通路により形成される。
中央部装飾ユニット１０における筒部１０ａの筒壁の下部内壁面にはステージと呼ばれる球転動部１５が設けられる。
中央部装飾ユニット１０における装飾部１０Ｗは、上部にパチンコ機Ｐの固有名称を示したネーム部（図では消去）などを有した主要装飾部１０Ａを備え、右部にサーチライトを模した複数の発光装置１０Ｂを備え、下部に球転動部１５から第１始動入賞部品１６の入賞口に球を誘導する誘導部１０Ｃを備え、左部に球転動部１５への球導入部１０Ｄを備える。
中央部装飾ユニット１０における装飾部１０Ｗは、前板３ｆの前面より前方に突出する。遊技盤３が遊技盤取付部３ａに取付けられて前扉４が閉じられた状態において、中央部装飾ユニット１０の装飾部１０Ｗの上部、右部、左側上部の外周壁の前端と前面パネル４ｃとの間の距離は１個の球（パチンコ球）の直径よりも小さく形成され、これにより、遊技領域９に発射された球は、中央部装飾ユニット１０の上部、右部、左側上部を経由して球転動部１５には入り込めないようになっている。中央部装飾ユニット１０の装飾部１０Ｗの右部の外周壁とガイドレール８との間で形成される球通路９ａの通路幅は、１個の球の直径寸法Ｒ１より大きく、かつ、Ｒ１×２よりも小さい寸法に形成される。
球転動部１５の中央部の下方に位置する遊技領域９には、第１始動入賞部品１６と第２始動入賞部品１７とが上下縦一列に並んで設けられている。第１始動入賞部品１６は例えば上面に入賞孔が開口される単純構造の始動入賞部品である。第２始動入賞部品１７は例えば一対の開閉体により入賞口が開閉する電動チューリップ構造の始動入賞部品である。
中央部装飾ユニット１０の左側方の遊技領域９には普通図柄始動部品１８が設けられている。
【００１８】
図４３に示すように、可動役物装置１３は、ケース２２と、回転板２３と、可動体としての扉状役物を構成する扉部材４０Ａと、扉部材駆動機構４０Ｂと、回転板回転駆動機構４０Ｃ、回転姿勢検出機構４０Ｄを備える。ケース２２、回転板２３、扉部材４０Ａは例えば合成樹脂により形成される。
【００１９】
ケース２２は、取付板２２ｂと、取付板２２ｂの外周より前方に突出する外周壁２２ｃとを備え、取付板２２ｂの前面と外周壁２２ｃとで区画されて、扉部材４０Ａ、扉部材駆動機構４０Ｂ、回転板回転駆動機構４０Ｃ、回転姿勢検出機構４０Ｄを収納するための収納部としての部材収容凹部２２ｘを備える。取付板２２ｂは、板の中央部に板の前面と後面とに貫通する貫通孔２２ａを有する。
【００２０】
回転板２３は、表示画面１４ａの中心と一致する回転中心Ｏを中心として遊技盤３の盤面（遊技盤３の前板３ｆの前面や遊技基板３ｂの後面における平坦面）に平行な面内で回転駆動されるよう構成される。
回転板２３は、円弧状の外周を有した板の中央部に板の前面と後面との貫通する貫通孔３３を有し、円弧状の外周にリングギヤ３６を備えた構成である。回転板２３の前面には回転板２３の前面の大部分を覆う例えば合成樹脂により形成された装飾カバー３８が設けられる。図５に示す９０は、回転板２３とこの回転板２３の前面の大部分を覆う装飾カバー３８との組立品である。
【００２１】
扉部材駆動機構４０Ｂは、回転板２３の後面に取付けられる。扉部材駆動機構４０Ｂの詳細については後述する。
扉部材４０Ａは、回転板２３の後面に配置された第１の可動体としての左扉部材４０と第２の可動体としての右扉部材４１とにより構成され、左扉部材４０と右扉部材４１とが扉部材駆動機構４０Ｂにより回転板２３の貫通孔３３の左右の中心位置を基準として左右に移動可能に構成され、ケース２２内のそれぞれの部材収容凹部２２ｘと貫通孔３３の中心位置との間を出没する。左扉部材４０と右扉部材４１とが、回転板２３の貫通孔３３の左右の中心位置（回転板２３の回転中心Ｏを含む）を通る垂線Ｌ（図３参照）を中心として左右線対称な形状である。例えば、左扉部材４０及び右扉部材４１は、上下長が回転板２３の貫通孔３３の上下長よりも長く、左右長が回転板２３の貫通孔３３の左右長の１／２よりも短い縦長長方形状に形成される。
扉部材駆動機構４０Ｂにより、左扉部材４０が右方向に移動して右扉部材４１が左方向に移動することによってこれら左扉部材４０と右扉部材４１とが回転板２３の貫通孔３３の左右の中心位置を通る垂線Ｌの位置で互いに接触し、かつ、左扉部材４０が左方向に移動することによって左扉部材４０のすべてが貫通孔３３の後側に位置しないように移動し、右扉部材４１が右方向に移動することによって右扉部材４１のすべてが貫通孔３３の後側に位置しないように移動する。つまり、左扉部材４０及び右扉部材４１は、垂線Ｌの位置と回転板２３の後側に隠れてパチンコ機の前方から視認できない位置との間を左右に往復移動可能に構成される。即ち、左扉部材４０及び右扉部材４１は、それぞれ、回転板２３の貫通孔３３の左右の中心位置と回転板２３の後側に隠れる位置との間で往復移動可能に構成されることによって、遊技盤取付部３ａに取付けられた状態の遊技盤３の前方から見た場合に、回転板２３の貫通孔３３の内外に出没可能に制御される可動体である。
つまり、遊技盤３に形成されて表示画面１４ａを目視可能とする筒孔１０ｘ及び貫通孔３３の内外に出没して遊技盤３の前方から見た場合に表示画面１４ａの少なくとも一部である中央部を遮る状態と表示画面１４ａを遮らない状態とに移動可能な左扉部材４０及び右扉部材４１を備えたので、演出制御装置１０３により、左扉部材４０及び右扉部材４１の動きと表示画面１４ａに表示される画像とによる効果的な多重演出を行える。
また、可動体としての扉部材４０Ａは、遊技盤取付部３ａに取付けられた状態の遊技盤３の前方に向かって発光するように設けられた可動体の発光部として、図３１〜図３６，図４２に示すように、直線状発光部としての第１小発光部３０１，３０２、第２小発光部４０１，４０２、第１縁発光部３０３、第２縁発光部４０３を備えるとともに、図３２，図４２に示すように、点状発光部としての第１小発光部３０５、第２小発光部４０５を備える。
前面に装飾カバー３８を備えるとともに後面側に扉部材駆動機構４０Ｂ及び扉部材４０Ａを備えた回転板２３は、回転板２３の後面とケース２２の取付板２２ｂの前面とが向き合う状態で取付板２２ｂの前面に回転可能に取付けられる。この回転板２２と取付板２２ｂとの回転可能な取付構造については後述する。
【００２２】
回転板回転駆動機構４０Ｃ及び回転体姿勢検出機構４０Ｄは、取付板２２ｂの前面に設けられる。
回転板回転駆動機構４０Ｃは、回転板２３に設けられたリングギヤ３６と、回転駆動源としての回転駆動モータ２９と、回転駆動モータ２９の回転力を回転板２３のリングギヤ３６に伝達する回転力伝達手段としての減速ギヤ列３０とにより構成される。
回転姿勢検出機構４０Ｄは、回転板２３の後面の外周縁に設けられた被検出体としての遮光板３７と、ケース２２の取付板２２ｂの前面に設けられた検出器としてのフォトインタラプタ２５，２６（図１４参照）とにより構成される。
【００２３】
画像表示装置１４は、表示画面１４ａがケース２２の貫通孔２２ａの後側に位置するように、例えば取付フランジ１４ｂを介して止ねじ１４ｃ等の取付具でケース２２の取付板２２ｂの後面に取付けられる。本実施形態では、画像表示装置１４には、表示画面１４ａの大きさが１２インチの液晶表示画面を備えた液晶表示装置を用いて構成している。
【００２４】
盤取付板３ｚの貫通孔３ｃの形状及び大きさは、遊技盤収容凹部３ｘの後方に設置される画像表示装置１４の表示画面１４ａの形状及び大きさと対応するように形成され、かつ、画像表示装置１４の表示画面１４ａの中心が遊技盤収容凹部３ｘの貫通孔３ｃの中心と一致するように、画像表示装置１４が配置される。
また、中央部装飾ユニット１０の筒部１０ａの筒断面形状及び大きさ、前板３ｆの貫通孔３Ｆの形状及び大きさ、遊技基板３ｂの貫通孔３Ｄの孔の形状及び大きさ、回転板２３の貫通孔３３の孔の形状及び大きさ、ケース２２の貫通孔２２ａの孔の形状及び大きさが、遊技盤収容凹部３ｘの貫通孔３ｃの孔の形状及び大きさと対応するように形成され、かつ、中央部装飾ユニット１０の筒部１０ａの中心、前板３ｆの貫通孔３Ｆの中心、遊技基板３ｂの貫通孔３Ｄの中心、回転板２３の貫通孔３３の中心、ケース２２の貫通孔２２ａの中心が、遊技盤収容凹部３ｘの貫通孔３ｃの中心と一致するように、これら部品が配置される。
具体的には、例えば、前板３ｆの貫通孔３Ｆ、遊技基板３ｂの貫通孔３Ｄ、遊技盤収容凹部３ｘの貫通孔３ｃ、回転板２３の貫通孔３３、ケース２２の貫通孔２２ａが、同じ形状及び大きさに形成されて、かつ、画像表示装置１４の表示画面１４ａよりも一回り小さい大きさに形成される。中央部装飾ユニット１０の筒部１０ａが前板３ｆの貫通孔３Ｆ、遊技基板３ｂの貫通孔３Ｄに挿入可能な大きさに形成される。
そして、中央部装飾ユニット１０の筒部１０ａ、前板３ｆの貫通孔３Ｆ、遊技基板３ｂの貫通孔３Ｄ、遊技盤収容凹部３ｘの貫通孔３ｃ、回転板２３の貫通孔３３、ケース２２の貫通孔２２ａの中心と表示画面１４ａの中心と回転板２３の回転中心Ｏとが一致するように、これらが配置される。
以上により、遊技者が、遊技盤３の画像視認孔として機能する中央部装飾ユニット１０の筒部１０ａの筒孔１０ｘ、及び、回転板２３の画像視認孔として機能する貫通孔３３を通して、回転板２３及び扉部材４０Ａによる動き演出と表示画面１４ａに表示される画像演出とを目視可能なパチンコ機となる。
【００２５】
扉部材駆動機構４０Ｂ及び扉部材４０Ａを後面側に有した回転板２３を取付板２２ｂの前面に備え、かつ、画像表示装置１４を取付板２２ｂの後面に備えたケース２２が、遊技盤取付部３ａの遊技盤収容凹部３ｘの後面に取付けられ、かつ、遊技盤３が遊技盤取付部３ａに取付けられたパチンコ機Ｐは、前扉４が閉じられた状態において、遊技者が画像視認孔としての筒孔１０ｘ及び貫通孔３３を介して画像表示装置１４の表示画面１４ａに表示された画像を目視できるとともに、回転板２３の回転や扉部材４０Ａの位置によって遊技者が目視可能な表示画面１４ａの領域が変動する構成を備える。
【００２６】
図７に示すように、回転板２３は、大径部２３ｓと小径部２３ｔとが一体に形成されたものである。大径部２３ｓには貫通孔３３が例えば横長の矩形状に形成されている。回転板２３の前面には全体的にリブが張り巡らされている。具体的には、大径部２３ｓの外周縁に沿って円弧状に並んだ格子状の複数のリブ７４、貫通孔３３から外周側に放射状に延びたリブ７５、小径部２３ｔと同心に形成されて径方向に並んだ円弧状の複数のリブ７６、小径部２３ｔの中央で貫通孔３３側から上方に延びた２条のリブ７７、貫通孔３３の下方において形成された矩形枠状の複数のリブ７８等が、回転板２３の前面に形成されている。
【００２７】
図３に示すように、装飾カバー３８には回転板２３の貫通孔３３と略同じ形状寸法に形成された貫通孔３９が設けられている。装飾カバー３８には、その貫通孔３９の上下左右の４辺全体から回転板２３の方向（後方向）に突出した前面視矩形状の枠部３８ａ（図６参照）が形成されている。図６における３８ａ１，３８ａ２，３８ａ３はそれぞれ、枠部３８ａを前面視した場合の上辺、右辺、下辺に当たる部分である。同図６に示すように、枠部３８ａの回転板２３側の端部は、回転板２３の貫通孔３３の縁部を形成している回転板２３の前面に当接して位置する。装飾カバー３８は枠部３８ａの近傍の複数個所において回転板２３にネジ止めされている。図７において、８０はネジが挿通される挿通孔であり、これらの挿通孔８０の位置で回転板２３と装飾カバー３８とがネジ止めされている。
【００２８】
また、回転板２３には多数の嵌入孔８１が形成されている。装飾カバー３８は、それら多数の嵌入孔８１のそれぞれに対向する個所に、枠部３８と同寸法だけ回転板２３の方向に突出して形成された図外の円柱部を有する。これら円柱部の突端には嵌入孔８１に嵌入する図外の突起が形成されており、この突起が嵌入孔８１に嵌め入れられている。
【００２９】
図３に示すように、回転板２３はケース２２の取付板２２ｂの上部、左下部及び右下部の３個所に係合して設けられた下ガイド部３４Ａ，３４Ｂ及び上ガイド部３４Ｃにより回転可能に支持されている。大径部２３ｓの外周縁には、下ガイド部３４Ａ，３４Ｂによりガイドされる円弧状の第１被ガイド部２３ｅが形成されている。小径部２３ｔの外縁には上ガイド部３４Ｃによりガイドされる円弧状の第２被ガイド部２３ｆが形成されている。第１被ガイド部２３ｅの円弧と第２被ガイド部２３ｆの円弧は同心で、第２被ガイド部２３ｆの円弧は第１被ガイド部２３ｅの円弧よりも小径に設定されている。第１被ガイド部２３ｅと第２被ガイド部２３ｆとの間には、第１被ガイド部２３ｅの左端から左方向に延びた平坦な段差部２３ｃと、第１被ガイド部２３ｅの右端部から右方向に延びた段差部２３ｄとが形成されている。
【００３０】
下ガイド部３４Ａ，３４Ｃ及び上ガイド部３４Ｃは、ケース２２の取付板２２ｂに略直交する軸周りに回転自在に設けられたガイドローラである。これら下ガイド部３４Ａ，３４Ｂ及び上ガイド部３４Ｃの構造は同じであり、その構造は２個のローラ部材を軸方向に並べたダブルローラ構造である。このダブルローラ構造について回転板２３の左下部を支持する下ガイド部３４Ａを例にとって説明する。
【００３１】
図８に示すように、回転板２３の左下部を支持する下ガイド部３４Ａは、ケース２２の取付板２２ｂから前方に突起して設けられた支軸３５と、この支軸３５を中心として回転自在に設けられた前側ローラ部材３４ａ及び後側ローラ部材３４ｂとを有する。第１被ガイド部２３ｅは肉厚部２３ｅ１と、この肉厚部２３ｅ１の外周端から外周側に突出した肉薄の鍔部２３ｅ２とを有する。鍔部２３ｅ２は、この鍔部２３ｅ２の外周縁と前側ローラ部材３４ａの軸受部３４ａ１との間に間隙Ｓ１を形成した状態で、前側ローラ部材３４ａと後側ローラ部材３４ｂとの間に挿入されており、鍔部２３ｅ２の前後に位置する肉厚部２３ｅ１の外周端は、前側ローラ部材３４ａ及び後側ローラ部材３４ｂの両方の外周端に当接している。つまり、第１被ガイド部２３ｅは前側ローラ部材３４ａ及び後側ローラ部材３４ｂに対し、径方向では非接触となっている。鍔部２３ｅ２が前側ローラ部材３４ａ及び後側ローラ部材３４ｂの両方の外周端に挟まれてガイドされることで、回転板２３は、前後方向の移動が規制されて回転可能である。即ち、回転板２３が、回転板２３の外周に設けられた鍔部２３ｅ２をガイドする前側ローラ部材３４ａ及び後側ローラ部材３４ｂによって回転可能に保持された取付構造を備える。
【００３２】
回転板２３の右下部をガイドする下ガイド部３４Ｂも下ガイド部３４Ａと同じ構造である。このようにダブルローラ構造の下ガイド部３４Ａ，３４Ｂによって回転板２３の左右両下部を支持すると、回転板２３を確実に支持した上で、第１被ガイド部２３ｅと下ガイド部３４Ａ，３４Ｂとの間に生じる摩擦抵抗を低減して回転板２３をスムーズに回転させることが可能になる。なお、回転板２３の上部中央を支持する上ガイド部３４Ｃの構造も、前側ローラ部材及び後側ローラ部材の径寸法が下ガイド部３４Ａの前側ローラ部材３４ａ及び後側ローラ部材３４ｂよりも小さいだけで、下ガイド部３４Ａと同じダブルローラ構造となっている。ただし、上ガイド部３４Ｃには回転板２３の重量が作用しないのでダブルローラ構造でなくてもよい。つまり、径方向において鍔部に接触されるローラであってもよい。
【００３３】
図３に示すように、回転板２３よりも下方に位置するケース２２の個所には落下防止片２４が一体形成されている。この落下防止片２４は回転板２３の回転中心Ｏを通る垂線Ｌ上に位置する。落下防止片２４と回転板２３の外周縁とは所定間隔をあけて位置しており、落下防止片２４が回転板２３の回転動作を妨げないようになっている。ただし、回転板２３を支持している下ガイド部３４Ａ，３４Ｂが破損したり、外部からの衝撃等によって回転板２３が下ガイド部３４Ａ，３４Ｂから外れた場合、回転板２３の外周縁が落下防止片２４の上端に当接した時点でそれ以上の動きが規制されるため、回転板２３の落下事故を確実に防止することができる。
【００３４】
回転板２３よりも下方に位置するケース２２の個所には、回転駆動モータ２９が取付けられている。回転板２３の前面側の下部外周縁には当該下部外周縁に沿った円弧状のリングギヤ３６が設けられている。このリングギヤ３６は回転板２３の回転中心を中心として例えば９０度の範囲に渡って設けられる。このリングギヤ３６と回転駆動モータ２９の間には減速ギヤ列３０が介在している。減速ギヤ列３０は、回転駆動モータ２９の出力軸に固着された最初段ギヤ３０ａと、ケース２２の取付板２２ｂに平行な面内で回転自在に設けられた複数のギヤによって構成されている。減速ギヤ列３０の最終段ギヤ３０ｂは落下防止片２４の近傍に位置している。この最終段ギヤ３０ｂは、回転板２３の回転中心Ｏを通る垂線Ｌの近傍で、リングギヤ３６と噛み合っている。つまり、回転駆動モータ２９の回転力が回転力伝達手段としての減速ギヤ列３０を介して回転板２３のリングギヤ３６に伝達されることによって回転板２３が回転する。
【００３５】
本実施形態の場合、回転板２３は、図９に示す回転板２３の姿勢を回転角度０°の初期姿勢として時計方向と反時計方向のそれぞれの方向に４５°を上限角度として制御される。
【００３６】
ケース２２と回転板２３との間には、回転板２３の時計方向の回転及び反時計方向の回転のそれぞれについて、回転板２３の回転の限界角度を規定するストッパ構造が設けられている。図９に示すように、時計方向の回転に対するストッパ構造は、ケース２２の取付板２２ｂの上部中央の左側近傍で前方に突出して設けられたストッパ部２７と、前記段差部２３ｃとから構成されている。反時計方向の回転に対するストッパ構造は、ケース２２の外周壁２２ｃの上部中央の右側近傍で前方に突出して設けられたストッパ部２８と、前記段差部２３ｄとから構成されている。ストッパ部２７，２８は、回転板２３の回転中心Ｏの上側においてその回転中心Ｏから第１被ガイド部２３ｅの半径と同じ距離までの範囲内の位置に設定されているとともに、回転板２３の回転中心Ｏを通る垂線Ｌを挟んで対向して位置する。つまり、図１０に示すように、回転板２３の時計方向の回転の限界角度は、ストッパ部２７に対して段差部２３ｃが当接する角度である。また、図１１に示すように、回転板２３の反時計方向の回転動作の限界角度は、ストッパ部２８に対して段差部２３ｄが当接する角度である。
【００３７】
前記両ストッパ構造は、回転板２３の回転の限界角度を、制御上の上限角度４５°よりも若干大きく設定されている。つまり、ストッパ部２７と段差部２３ｃは、回転板２３が時計方向に上限角度４５°を超えて過剰に回転することを防止し、ストッパ部２８と段差部２３ｄは、回転板２３が反時計方向に上限角度４５°を超えて過剰に回転することを防止する。
【００３８】
図１４，図１５に示すように、ケース２２の外周壁２２ｃは、ストッパ部２７，２８に近接して位置する。ストッパ部２７は、図１３，図１５，図１６を参照して分かるように、取付板２２ｂから突出して形成された略円錐台状の基台部２７ａと、この基台部２７ａから遊技盤３の方向（前方向）に突出して設けられた本体部２７ｂとを有する。本体部２７ｂは回転板２３の回転を阻止する際の段差部２３ｃとの当接部位である。本体部２７ｂは基台部２７ａの頂部に一体形成された心棒部２７ｃ（図１５に示す）と、この心棒部２７ｃの外周面を覆って装着された円筒状のゴム部材２７ｄとから構成されている。
【００３９】
ストッパ部２８もストッパ部２７と同様に、取付板２２ｂから突出して形成された略円錐台状の基台部２８ａと、この基台部２８ａから遊技盤３の方向に突出して設けられた本体部２８ｂとを有する。本体部２８ｂは回転板２３の回転を阻止する際の段差部２３ｄとの当接部位であり、基台部２８ａに一体に形成された心棒部２８ｃと、この心棒部２８ｃの外周面を覆って装着された円筒状のゴム部材２８ｄとから構成されている。
【００４０】
図１５に示すように、基台部２７ａ，２８ａはいずれも、ケース２２の内方側の外周壁２２ｃの面に結合するよう外周壁２２ｃと一体に形成されている。具体的には、基台部２７ａでは、この基台部２７ａの外周面の上部が外周壁２２ｃと一体に形成されている。また、基台部２８ａでは、この基台部２８ａの外周面の上部が連結部２８ｅを介して外周壁２２ｃと一体に連結されている。さらに、ストッパ部２７，２８に近接して位置する外周壁２２ｃと、この外周壁２２ｃの前端面に対向する遊技盤取付部３ａとの間には、嵌合構造が設けられている。この嵌合構造は、図１６，図１７を参照して分かるように、外周壁２２ｃの前端面に形成された嵌合突起部８２，８３と、遊技盤取付部３ａに形成されて嵌合突起部８２，８３がそれぞれ嵌合する嵌合孔８４，８５とから構成されている。
【００４１】
図１４に示すように、落下防止片２４の左斜め上方には回転姿勢検出機構４０Ｄの検出器を構成する第１フォトインタラプタ２５，第２フォトインタラプタ２６が実装されている。図１８に示すように、回転板２３の後面の外周縁には回転姿勢検出機構４０Ｄの被検出体を構成する円弧状の遮光板３７が取付けられている。この遮光板３７には短尺な遮光壁３７ａと長尺な遮光壁３７ｂが、ケース２２の取付板２２ｂ側に突出して設けられている。これら遮光壁３７ａ，３７ｂのそれぞれの回転軌道上に、第１フォトインタラプタ２５，第２フォトインタラプタ２６がそれぞれ位置する。具体的には、回転板２３が図９に示す初期姿勢にあるとき、短尺な遮光壁３７ａは第１フォトインタラプタ２５の光路を横切って位置し、長尺な遮光壁３７ｂは第２フォトインタラプタ２６の光路を横切って位置し、これらによって第１フォトインタラプタ２５，第２フォトインタラプタ２６の両方からオフ信号が出力される。また、回転板２３が初期姿勢から時計方向へ回転すると、短尺な遮光壁３７ａは第１フォトインタラプタ２５の光路から外れる位置へ移動し、長尺な遮光壁３７ｂも第２フォトインタラプタ２６の光路から外れる位置へ移動し、これらによって第１フォトインタラプタ２５，第２フォトインタラプタ２６の両方からオン信号が出力される。逆に、回転板２３が初期姿勢から反時計方向へ回転すると、短尺な遮光壁３７ａは第１フォトインタラプタ２５の光路から外れる位置へ移動し、長尺な遮光壁３７ｂは第２フォトインタラプタ２６の光路内を移動し、これらによって第１フォトインタラプタ２５からオン信号が出力されるとともに第２フォトインタラプタ２６からオフ信号が出力される。よって、演出制御装置１０３が、第１フォトインタラプタ２５，第２フォトインタラプタ２６からの信号の組合せを判別して回転板２３の初期姿勢と回転方向を検知できる。
【００４２】
図３に示すように、回転板２３には、貫通孔３３の後方において両開きの引き戸状に動作可能に上述した扉部材４０Ａを構成する１対の左扉部材４０及び右扉部材４１が設けられている。これら左扉部材４０と右扉部材４１は扉を模した可動体である。これら左扉部材４０及び右扉部材４１は、図４に示すように、回転板２３の後面側に位置する。また、回転板２３には、左扉部材４０の駆動手段を構成している第１モータ４２及び第１スクリューシャフト４３等と、右扉部材４１の駆動手段を構成している第２モータ４４及び第２スクリューシャフト４５等とで構成された扉部材駆動機構４０Ｂが取付けられている。つまり、回転板２３は、可動体である左扉部材４０及び右扉部材４１と、これら左扉部材４０及び右扉部材４１の扉部材駆動機構４０Ｂとが取付けられたベース部材である。
【００４３】
図１９に示すように、第１モータ４２と第２モータ４４は互いの出力軸が同軸上に位置するよう左右方向に並び、互いの反出力軸側の端部を向かい合わせて、回転板２３の回転中心Ｏを通る垂線Ｌを対称軸として左右方向に線対称を成して位置する。第１スクリューシャフト４３と第２スクリューシャフト４５は、装飾カバー３８の貫通孔３９の下辺に平行に配置されているとともに、図１９，図２０を参照して分かるように垂線Ｌに直交する同一平面上で前後方向へ位置ずれしている。第１スクリューシャフト４３が第２スクリューシャフト４５よりも前方に位置する。第１スクリューシャフト４３の右側部分と第２スクリューシャフト４５の左側部分とは前後方向にオーバーラップしている。
【００４４】
第１モータ４２のモータケース４２ａと第２モータ４４のモータケース４４ａは、第１スクリューシャフト４３と第２スクリューシャフト４５とがオーバーラップしている左右方向の範囲内に位置し、かつ、第１スクリューシャフト４３と第２スクリューシャフト４５とが位置する前後方向の範囲内に位置する。つまり、第１スクリューシャフト４３は第１モータ４２の出力軸側から第２モータ４４側（左側）に向かって延出しており、第２スクリューシャフト４５は第２モータ４４の出力軸から第１モータ４２側（右側）に向かって延出している。
【００４５】
第１モータ４２の出力軸には歯車４６が固着されており、第１スクリューシャフト４３の右端部には歯車４８が固着されている。第１モータ４２の回転力が、歯車４６，中継歯車４９，歯車４８を介して第１スクリューシャフト４３に伝達されるようになっている。第２モータ４４の出力軸には歯車４７が固着されており、第２スクリューシャフト４５の左端部には歯車５０が固着されている。第２モータ４４の回転力が、歯車４７，中継歯車５１，歯車５０を介して第２スクリューシャフト４５に伝達されるようになっている。
【００４６】
左扉部材４０の下端部にはガイド筒体５２が取付けられており、このガイド筒体５２は第１スクリューシャフト４３に嵌挿されている。ガイド筒体５２の内周面には第１スクリューシャフト４３の螺旋状溝と係合する図外の螺旋状突部が形成されている。よって、左扉部材４０は、第１モータ４２の回転に伴って第１スクリューシャフト４３の軸線方向（Ｘ１−Ｘ２方向）、即ち、左右方向に往復移動可能に構成される。
【００４７】
また、図７に示すように、小径部２３ｔと貫通孔３３の間の位置にはガイド孔２３ｇが形成されており、これらガイド孔２３ｇは貫通孔３３の上辺に沿って左右方向へ延びている。図２１等に示すように、左扉部材４０の上端部には、Ｌ字状に折り曲げられた、即ち、後方に突出してその先端が上方に折れ曲がった突起４０ａが一体形成されており、この突起４０ａは回転板２３に形成された一方のガイド孔２３ｇの上縁の前面に摺動可能に係合している（図６参照）。つまり、左扉部材４０の上端部の後方向への移動が突起４０ａにより規制されつつ、同上端部の左右方向の移動が一方のガイド孔２３ｇにより許容されている。
【００４８】
同様に、右扉部材４１の下端部にはガイド筒体５４が取付けられており、このガイド筒体５４は第２スクリューシャフト４５に嵌挿されている。ガイド筒体５４の内周面には第２スクリューシャフト４５の螺旋状溝と係合する図外の螺旋状突部が形成されている。よって、右扉部材４１は、第２モータ４４の回転に伴って第２スクリューシャフト４５の軸線方向（Ｘ１−Ｘ２方向）、即ち、左右方向に往復移動可能に構成される。
【００４９】
また、右扉部材４１の上端部には左扉部材４０の突起４０ａと同様に、Ｌ字状に折り曲げられた突起４１ａが一体形成されており、この突起４１ａは回転板２３に形成された他方のガイド孔２３ｇの上縁の前面に摺動可能に係合している。つまり、右扉部材４１の上端部の後方向への移動が突起４１ａにより規制されつつ、同上端部の左右方向の移動が他方のガイド孔２３ｇにより許容されている。
【００５０】
回転板２３が初期姿勢を成した状態において、図１９，図２１に示すように左扉部材４０と右扉部材４１が最も離隔した退避位置に位置するとき、左扉部材４０及び右扉部材４１は、ケース２２の貫通孔２２ａを全開状態にする。つまり、左扉部材４０及び右扉部材４１は、遊技者が窓１１を通して目視できないように、ケース２２の貫通孔２２ａの外側、即ち、ケース２２の後面に隠れる位置に移動する。この全開状態で第１モータ４２と第２モータ４４が同期して一方向に回転すると、図２２に示すように、左扉部材４０が第１スクリューシャフト４３の軸線に沿って矢印Ｘ１方向へ移動するとともに、右扉部材４１が第２スクリューシャフト４５の軸線に沿って矢印Ｘ２方向へ移動し、左扉部材４０と右扉部材４１との間隔が次第に狭まっていく。さらに第１モータ４２と第２モータ４４の回転が継続すると、図２３に示すように、左扉部材４０及び右扉部材４１は、互いの対向面が回転板２３の回転中心位置で接触するまで移動する。このとき、ケース２２の貫通孔２２ａの中央部が左扉部材４０及び右扉部材４１によって遮蔽された状態となるとともに、ケース２２の貫通孔２２ａの左右側は左扉部材４０及び右扉部材４１によって遮蔽されず、よって、遊技者は、窓１１及びケース２２の貫通孔２２ａの左右領域を通して表示画面１４ａに表示された画像を目視可能となる。
【００５１】
図６に示すように、回転板２３の前面と装飾カバー３８の後面との間には、枠部３８ａにより空間Ｓ２が形成されている。図７に示すように、回転板２３の貫通孔３３の下方には、前後方向に貫通した矩形状の第１挿入孔７２及び第２挿入孔７３が左右に並んで形成されている。図４，図７を参照して分かるように、第１挿入孔７２内には第１モータ４２が位置し、第２挿入孔７３内には第２モータ４４が位置する。図２４に示すように、第１モータ４２は回転板２３の裏側から、モータケース４２ａを略半分だけ第１挿入孔７２に挿入されている。第２モータ４４は回転板２３の裏側から、モータケース４４ａを略半分だけ第２挿入孔７３に挿入されている。第１スクリューシャフト４３及び第２スクリューシャフト４５のうち前側の第１スクリューシャフト４３は空間Ｓ２内に位置し、後側の第２スクリューシャフト４５は回転板２３の後方に位置する。第１モータ４２の出力軸に固定された歯車４６の径方向の略半分、第１スクリューシャフト４３に固定された歯車４８の全体、中継歯車４９の全体も、空間Ｓ２内に収容されている。つまり、空間Ｓ２に、左扉部材４０及び右扉部材４１のそれぞれの駆動手段の少なくとも一部が収容されている。なお、図２４における回転板２３はリブを省略して描いたものである。
【００５２】
第１モータ４２、第１スクリューシャフト４３、歯車４６，４８及び中継歯車４９は、ブラケット７０を介して回転板２３に取付けられている。第２モータ４４、第２スクリューシャフト４５、歯車４７，５０及び中継歯車５１は、ブラケット７１を介して回転板２３に取付けられている。
【００５３】
図３に示すように、回転板２３よりも右方に位置するケース２２の取付板２２ｂの個所には、ケーブルガイド３１がネジ止め等によって固定されている。このケーブルガイド３１には、図外の回路基板が収容されている。この回路基板は、例えば、ケース２２の取付板２２ｂの後面に設けられた演出制御装置１０３に電気的に接続されている。回路基板にはフラットケーブル３２の一端部が電気的に接続されており、ケーブルガイド３１に形成された図外の導出口から導出されている。回転板２３の外周部にはコネクタ５８が取付けられており、このコネクタ５８にフラットケーブル３２の他端が電気的に接続されている。コネクタ５８は、回転板２３に設けられた図外の回路基板及び電気ケーブルを介して、回転板２３に搭載された第１モータ４２、第２モータ４４に対して電気的に接続されている。つまり、演出制御装置１０３から第１モータ４２、第２モータ４４への制御信号がフラットケーブル３２を介して伝送されるようになっている。
【００５４】
ケーブルガイド３１の回転板２３側の面と回転板２３の外周縁との間には弧状空間Ｓ３が形成されている。フラットケーブル３２はその弧状空間Ｓ３内に、垂線Ｌに直交する方向とフラットケーブル３２の幅方向が一致した状態で、また、Ｕ字状の反転部３２ａを有した状態で配されている。反転部３２ａは、フラットケーブル３２がケーブルガイド３１から下方向に導出された後に、上方向に湾曲して形成されたものである。反転部３２ａは、回転板２３の初期姿勢からの時計方向に４５°回転したとき、図１０に示す位置まで移動し、逆に、反時計方向に４５°回転したときには図１１に示す位置まで移動する。
【００５５】
左扉部材４０及び右扉部材４１の電飾のための構成について左扉部材４０を例に挙げて説明する。
【００５６】
図２５と図２７を参照して分かるように、左扉部材４０は、この左扉部材４０の前面を形成している光透過性を有した材料により形成された前板部２０１を有する装飾ケース２００と、前板部２０１の後方に配され装飾ケース２００に取付けられた回路基板２０２と、前板部２０１と回路基板２０２との間隔を保持するスペーサ２０３とを備えている。
【００５７】
図２８に示すように、回路基板２０２には前方に向かって発光する多数の発光素子（ＬＥＤ）が取付けられている。具体的には、回路基板２０２の右側（図２８の右下側）の縁部中央から左下方向に所定間隔を隔てて一直線状に並んだ７個の発光素子（ＬＥＤ）から成る発光素子列２２１と、同縁部中央から左上方向に所定間隔を隔てて一直線状に並んだ７個の発光素子（ＬＥＤ）から成る発光素子列２３１と、右側の縁部に沿って所定間隔を隔てて一直線状に並んで取付けられた１７個の発光素子（ＬＥＤ）から成る発光素子列２４１とが設けられている。また、各々が接近して設置され十字状に配列された５個の発光素子から成る発光素子群２５０が、回路基板２０２の上部の２個所、中央部、下部の２個所に設けられている。
【００５８】
図２９に示すように、スペーサ２０３は装飾ケース２００の前板部２０１と回路基板２０２との間に、発光素子列２２１、発光素子列２３１、発光素子列２４１、発光素子群２５０を配する間隔を保持するものである。このスペーサ２０３には、発光素子列２２１を構成する発光素子が配される切欠き２０３ａ又は丸孔２０３ｃと、発光素子列２３１を構成する発光素子が配される切欠き２０３ｂ又は丸孔２０３ｄと、発光素子群２５０が配される丸孔２０３ｅが形成されている。発光素子列２４１はスペーサ２０３の右側方に配される。
【００５９】
図３０に示すように、装飾ケース２００の前板部２０１には、発光素子列２２１に対向して位置し発光素子列２２１の光を前方に導く下側傾斜導光部２２２と、発光素子列２３１に対向して位置し発光素子列２３１の光を前方に導く上側傾斜導光部２３２と、発光素子列２４１の中央の発光素子に対向して位置し発光素子列２４１の中央の光を前方に導く中央導光部２４３と、同じく発光素子列２４１の中央よりも上側部分に対向して位置し発光素子列２４１の上側の光を前方に導く上側縦導光部２４２と、同じく発光素子列２４１の中央よりも下側部分に対向して位置し発光素子列２４１の下側の光を前方に導く下側縦導光部２４４とが設けられている。これら下側傾斜導光部２２２、上側傾斜導光部２３２、上側縦導光部２４２、中央導光部２４３、下側縦導光部２４４を除く装飾ケース２００の前板部２０１の領域には、光がぼやけて前方に透過するよう微細な斑のある塗装が施されている。
【００６０】
右扉部材４１の電飾のための構成も左扉部材４０と同様に構成されている。ただし、右扉部材４１において、左扉部材４０の発光素子列２２１、下側傾斜導光部２２２、発光素子列２３１、上側傾斜導光部２３２、発光素子列２４１、上側縦導光部２４２、中央導光部２４３、下側縦導光部２４４のそれぞれに相当するものらは、左扉部材４０におけるそれらと略左右対称に位置するよう設けられている。
【００６１】
左扉部材４０の発光素子列２２１と下側傾斜導光部２２２は、図３１に黒く塗り潰して示すように、左扉部材４０の前面から前方に向かって発光する直線状発光部としての第１小発光部３０１を構成している。右扉部材４１において左扉部材４０の発光素子列２３１及び上側傾斜導光部２３２に相当するものらは、右扉部材４１の前面から前方に向かって発光する直線状発光部としての第２小発光部４０１を構成している。これら第１小発光部３０１と第２小発光部４０１は、図３２に示すように、左扉部材４０と右扉部材４１の当接状態において直線状に並び、全体として左扉部材４０の左下縁部から右扉部材４１の右上縁部に亘って延びた直線状を成すよう配されている。
【００６２】
左扉部材４０の発光素子列２３１と上側傾斜導光部２３２は、図３３に黒く塗り潰して示すように、左扉部材４０の前面から前方に向かって発光する直線状発光部としての、前記第１小発光部３０１とは別の第１小発光部３０２を構成している。右扉部材４１において左扉部材４０の発光素子列２２１及び下側傾斜導光部２２２に相当するものらは、右扉部材４１の前面から前方に向かって発光する直線状発光部としての、前記第２小発光部４０１とは別の第２小発光部４０２を構成している。これら第１小発光部３０２と第２小発光部４０２は、図３４に示すように、左扉部材４０と右扉部材４１の当接状態において直線状に並び、全体として左扉部材４０の左上縁部から右扉部材４１の右下縁部に亘って延びた直線状を成すよう配されている。
【００６３】
左扉部材４０の発光素子列２４１、上側縦導光部２４２、中央導光部２４３及び下側縦導光部２４４は、図３５に黒く塗り潰して示すように、左扉部材４０の右扉部材４１側の縁部に沿って位置する第１縁発光部３０３を構成している。この第１縁発光部３０３も、左扉部材４０の前面から前方に向かって発光する直線状発光部である。右扉部材４１において左扉部材４０の発光素子列２４１、上側縦導光部２４２、中央導光部２４３及び下側縦導光部２４４に相当するものらは、右扉部材４１の左扉部材４０側の縁部に沿って位置する第２縁発光部４０３を構成している。この第２縁発光部４０３も、右扉部材４１の前面から前方に向かって発光する直線状発光部である。これら第１縁発光部３０３と第２縁発光部４０３は、図３６に示すように、左扉部材４０と右扉部材４１の当接状態において近接して並列するよう配されている。
即ち、遊技盤３の前方に向かって発光するように設けられた直線状発光部は、回路基板２０２上に所定間隔を隔てて一直線上に設置された複数の発光部材としての発光素子と、発光素子の光を前方に透過させる前板部２０１とにより構成される。
【００６４】
前板部２０１における上述した各導光部で挟まれた各導光部以外の部分と、当該部分の後方に位置されて当該部分を透過する光を発光する各発光素子群２５０とが、それぞれ、点状発光部としての第１小発光部３０５，第２小発光部４０５を構成する。
即ち、遊技盤３の前方に向かって発光するように設けられた点状発光部は、回路基板２０２上に接近して置された複数の発光部材としての発光素子と、発光素子の光を前方に透過させる前板部２０１とにより構成される。
点状発光部は、回路基板２０２上に点在するように設置された個々の発光素子と、これら発光素子の光を前方に透過させる前板部２０１とにより構成されてもよい。即ち、点状発光部は、１個の発光素子と前板部２０１とにより形成された構成でもよい。
【００６５】
図２では、中央部装飾ユニット１０の後側に位置する固定発光部のいくつかの図示を省略し、また固定発光部５０８以外の固定発光部の発光素子６０１の図示も省略してある。図４４では、固定発光部の図示を省略した。
そこで、図４５，図４６では、遊技盤３の中央部装飾ユニット１０等の遊技部品や釘３Ｃなどを省略して遊技基板３ｂの前面に設けられた複数の固定発光部５０１〜５１６と表示画面１４ａと扉部材４０Ａとの関係がわかるようにパチンコ機Ｐの前方から見た状態を簡略化した図を示した。
複数の固定発光部５０１〜５１６は同様の構成である。固定発光部５０１〜５１６は、それぞれ、図４５に示すように、遊技基板３ｂの前面に設けられた凹部６０３と、凹部６０３の底面に設置された複数の発光素子６０１から構成された発光素子列６００（図４５では、固定発光部５０１以外の固定発光部の発光素子６０１の図示を省略してある）と、発光素子列６００を覆うように凹部６０３に取付けられた導光前面カバー６０２とにより構成される。凹部６０３は、遊技基板３ｂの前面上において例えば貫通孔３Ｄの中心（回転板２３の回転中心Ｏ）より放射状に延長する線を中心線として貫通孔３Ｄの孔縁３Ｅより遊技基板３ｂの外周側に延長した構成である。凹部６０３の幅は、例えば、一定幅、又は、図４５に示すように貫通孔３Ｄの中心から遊技基板３ｂの外周側に向けて漸次幅広となるように形成される。発光素子列６００は、例えば、複数の発光素子６０１が上記中心線上に所定間隔を隔てて配置された構成である。導光前面カバー６０２は発光素子の光を遊技盤３の前方に透過させる材料により形成される。導光前面カバー６０２は、例えば、凹部６０３に嵌め込まれて前面が、遊技基板３ｂの前面と同一面となるか又は遊技基板３ｂの前面より後方に位置するように設けられる。
例えば、遊技盤３が遊技盤取付部３ａに取付けられた状態において、図４５に示すように、固定発光部５０１が貫通孔３Ｄの中心から真上に延長する線を中心線とした固定発光部に形成され、互いに隣り合う固定発光部の中心線と中心線とが貫通孔３Ｄの中心を中心として所定角度（例えば２２．５°）を隔てた構成とされる。
尚、固定発光部５１６は、遊技盤３が遊技盤取付部３ａに取付けられた状態において、図４５に示すように、例えば、貫通孔３Ｄの中心から真下に延長する線を中心線とし、かつ、第１始動入賞部品１６の入賞口まで延長するような固定発光部に形成されてもよい。
【００６６】
また、図４６に示すように、垂線Ｌの位置で右扉部材４１と当接した状態の左扉部材４０の第１小発光部３０１，３０２と連続する固定発光部５０８ａ，５０２ａ、垂線Ｌの位置で左扉部材４０と当接した状態の右扉部材４１の第２小発光部４０１，４０２と連続する固定発光部５１５ａ，５０９ａ、表示画面１４ａの中央部が目視されるように位置された左扉部材４０の第１小発光部３０１，３０２及び右扉部材４１の第２小発光部４０１，４０２のそれぞれと連続する固定発光部５０７ａ，５０３ａ，５１４ａ，５１０ａを、遊技基板３ｂの前面に設けてもよい。また、図４６に示すように、点状発光部としての第１小発光部３０５や第２小発光部４０５は、扉部材４０Ａに細かく点在するように設けられてもよい。
【００６７】
図４に示すように、左扉部材４０及び右扉部材４１の上端部のそれぞれからは、フラットケーブル２７１，２７２のそれぞれが導出されている。フラットケーブル２７１は、このフラットケーブル２７１の幅方向が左扉部材４０の動作方向に略直交し、かつ左側（図４では右側）に膨らんだＵ字状の反転部２７１ａを有した状態で、電源に間接的に接続された電気部品であるコネクタ２７４ａに電気的に接続されている。コネクタ２７４ａは回転板２３に固定された回路基板２７４に設けられおり、左扉部材４０はコネクタ２７４ａに対し移動可能である。フラットケーブル２７２は、このフラットケーブル２７２の幅方向が右扉部材４１の動作方向に略直交し、かつ右側（図４では左側）に膨らんだＵ字状の反転部２７２ａを有した状態で、コネクタ２７４ｂに電気的に接続されている。このコネクタ２７４ｂも回路基板２７４に設けられたものである。回路基板２７４は、前記フラットケーブル３２及びコネクタ５８等を介して演出制御装置１０３に電気的に接続されている。
【００６８】
フラットケーブル２７１の装飾ケース２００側における配線構造について次に説明する。
図２５に示すように、装飾ケース２００の上部には前板部２０１の縁部から後方に突出して形成された壁部２００ａを有する。この壁部２００ａの右側には、切欠き状の導出部２００ｂが設けられている。フラットケーブル２７１は、装飾ケース２００の内部からその導出部２００ｂを通じて装飾ケース２００の上方に導出され、回路基板２７４上のコネクタ２７４ａに接続されている。
図３７に示すように、回路基板２０２と装飾ケース２００の前板部２０１との間隔内にはコネクタ２０２ａが配されている。このコネクタ２０２ａは回路基板２０２の前面（図３７の下側の面）に取付けられており、発光素子列２２１，２３１，２４１及び発光素子群２５０のそれぞれを構成する発光素子のすべてに電気的に接続されている。図３８に示すように、コネクタ２０２ａに対しフラットケーブル２７１の端部は、このフラットケーブル２７１の幅方向が装飾ケース２００の前板部２０１に平行な状態で電気的に接続されている。スペーサ２０３は前記壁部２００ａに対向して位置する端部２０３ｆを有し、これら壁部２００ａ及び端部２０３ｆによりフラットケーブル２７１を挟持する挟持部２７５が構成されている。この挟持部２７５には、回路基板２７４とコネクタ２０２ａとの間に位置するフラットケーブル２７１の中間部が配される。
【００６９】
図３９において、２７１ｃは挟持部２７５よりもコネクタ２０２ａ側のフラットケーブル２７１の部分であり、２７１ｄは挟持部２７５よりも反転部２７１ａ側のフラットケーブル２７１の部分である。フラットケーブル２７１の中間部には、略直角（矢印Ｍ方向）に折り返された部分である折返し部２７１ｂが設けられ、この折返し部２７１ｂが挟持部２７５に配されることによって、フラットケーブル２７１はこのフラットケーブル２７１の幅方向が前板部２０１に略直交する状態で、即ち、左扉部材４０の動作方向に略直交する状態で、導出部２００ｂから装飾ケース２００の外部に導出されている。
【００７０】
図４０に示すように、スペーサ２０３には、回路基板２０２側の面から装飾ケース２００の前板部２０１の面に貫通した通し孔２７６が形成されている。さらに、その通し孔２７６よりも上方で前板部２０１に対向するスペーサ２０３の前面の個所には、保持溝２７７が形成されている。図４１に示すように、前板部２０１には保持溝２７７に挿入される突出部２７８が形成されている。回路基板２０２と前板部２０１との間に位置するフラットケーブル２７１の個所は、通し孔２７６及び保持溝２７７に挿通された状態に配線されている。これら通し孔２７６は、挟持部２７５とコネクタ２０２ａの間の位置するフラットケーブル２７１の幅方向（左右方向）の移動を規制する位置決め部である。また、保持溝２７７と突出部２７８はフラットケーブル２７１を挟持する、前記挟持部２７５とは別の挟持部を構成している。
【００７１】
左扉部材４０側のフラットケーブル２７１の配線構造と同様の配線構造によりフラットケーブル２７２も右扉部材４１に対して配線されている。
【００７２】
本実施形態に係る可動役物装置１３、第１小発光部３０１，３０２，３０５、第２小発光部４０１，４０２，４０５、第１縁発光部３０３、第２縁発光部４０３、固定発光部５０１〜５１６の制御に係る構成について図４２を用いて説明する。
【００７３】
図４２に示すように、制御装置は、主制御装置１０２、演出制御装置１０３、発射払出制御装置１０５等を備える。制御装置は、遊技機枠１Ａの後面や遊技盤３の後面やケース２２の後面などに取付けられる。
【００７４】
主制御装置１０２は、ＣＰＵ（Central  Processing Unit）、制御プログラム及びデータを格納するＲＯＭ（Read Only Memory）、ＣＰＵにより生成された処理情報の一時記憶及び記憶した処理情報の削除を行うＲＡＭ（Random  Access Memory）等を備え、ＲＯＭに記憶された制御プログラム及びデータにより、パチンコ遊技に関する処理を実行するものである。この主制御装置１０２は、ＲＯＭに格納された制御プログラム及びデータにより、当り外れ抽選を行うよう、また、普通図柄抽選を行うよう設定されている以外に、当り外れ抽選で抽出された乱数値を、演出制御装置１０３に与えるようにも設定されている。
主制御装置１０２は、当り外れ抽選を行うための抽選カウンタと、乱数値と当り外れ情報及び演出時間情報とが対応付けられた当り外れ参照テーブルとを備え、始動入賞信号の入力タイミングで抽選カウンタのカウント値を乱数値として取得し、この取得した乱数値を当り外れ参照テーブルに照らし合わせて当り外れ情報を取得する。
主制御装置１０２は、普通図柄抽選を行うための抽選カウンタと、乱数値と当り外れ情報とが対応付けられた普通図柄参照テーブルとを備え、遊技領域に発射された球の普通図柄始動部品への入賞信号の始動入賞の入力タイミングで抽選カウンタのカウント値を乱数値として取得し、この取得した乱数値を普通図柄参照テーブルに照合して普通図柄の当り外れ情報を取得する。普通図柄抽選により主制御装置１０２が普通図柄の当りの確定を認識した場合には、主制御装置１０２が例えば第２始動入賞部品１７の電動チューリップの開閉体の開閉駆動源を作動させて開閉体を数回開閉させる（例えば、０．６秒間、２回開閉させる）。
【００７５】
演出制御装置１０３は、ＣＰＵ、ＲＯＭ、ＲＡＭ等を備え、ＲＯＭに記憶された制御プログラム及びデータにより、回転駆動モータ２９、第１モータ４２、第２モータ４４、第１小発光部３０１，３０２，３０５、第１縁発光部３０３、第２小発光部４０１，４０２，４０５、第２縁発光部４０３、固定発光部５０１〜５１６、画像表示装置１４などによる演出制御に係る処理を行う。つまり、演出制御装置１０３は、回転駆動モータ２９、第１モータ４２、第２モータ４４、発光素子列２２１，２３１，２４１、画像表示装置１４などを制御するための演出パターン情報と乱数値とが対応付けられた記憶テーブルである演出パターン参照テーブルを備え、始動入賞を契機として主制御装置１０２から送られてくる乱数値を演出パターン参照テーブルに照合して演出パターン情報を取得し、取得した演出パターン情報に基づいて、可動役物装置１３、第１小発光部３０１，３０２，３０５、第１縁発光部３０３、第２小発光部４０１，４０２，４０５、第１縁発光部３０３、第２縁発光部４０３、固定発光部５０１〜５１６、画像表示装置１４などの演出装置を制御する。
【００７６】
回転駆動モータ２９の制御は、第１フォトインタラプタ２５，第２フォトインタラプタ２６からのオン信号の有無と、回転駆動モータ２９の制御信号のパルス数に基づいて行われる。回転板２３の動作パターンとしては、例えば、回転板２３が初期姿勢から時計方向に４５°回転した後、反時計方向に回転して初期姿勢に戻る動作パターンや、これとは逆に初期姿勢から反時計方向に４５°回転した後、時計方向に回転して初期姿勢に戻ったりする動作パターン、さらに、時計方向４５°傾斜した姿勢と反時計方向４５°傾斜した姿勢とに繰り返し姿勢を変化させる動作パターンなどがある。
【００７７】
第１モータ４２及び第２モータ４４のそれぞれの制御は、制御信号のパルス数に基づいて行われる。左扉部材４０及び右扉部材４１の動作パターンとしては、例えば、左扉部材４０と右扉部材４１とがいずれも退避位置（図２１に示す）から互いに近接する方向に同期して移動し、左扉部材４０と右扉部材４１が互いに当接した状態（図２３に示す状態）で一時停止した後、互いに同期して退避位置に戻る動作パターン、左扉部材４０及び右扉部材４１の一方のみが退避位置から図２３に示す位置まで移動して一時停止した後に退避位置に戻る動作パターン、左扉部材４０と右扉部材４１が図２３に示すように当接して一時停止した後、左扉部材４０及び右扉部材４１の一方が先に退避位置に戻る動作パターン、左扉部材４０と右扉部材４１の両方が装飾カバー３８の貫通孔３９を通じて見える位置で離隔した半開状態で一時停止した後、即ち表示画面１４ａの画面のうち中央部のみが見える状態を一時的に維持した後、当接又は退避する動作パターンなどがある。
【００７８】
演出制御装置１０３は、演出の際、演出パターン情報に基づいて、回転板２３の動作パターンと、左扉部材４０及び右扉部材４１の動作パターンとが組み合わさった動作を可動役物装置１３に行わせるとともに、画像表示装置１４に画像演出を行わせる。
【００７９】
また、演出制御装置１０３は、回転板２３の回転角度が所定角度になり、かつ左扉部材４０及び右扉部材４１の少なくとも一方が回転板２３の所定位置に位置するときに、第１小発光部３０１、第２小発光部４０１、第１小発光部３０２、第２小発光部４０２、第１縁発光部３０３、第２縁発光部４０３のいずれかと、固定発光部５０１〜５１６のいずれかとが線状に並んで発光した状態になるよう第１小発光部３０１、第２小発光部４０１、第１小発光部３０２、第２小発光部４０２、第１縁発光部３０３、第２縁発光部４０３、固定発光部５０１〜５１６の制御を行う。
【００８０】
演出制御装置１０３は、大当り演出やスーパーリーチ演出を含む複数の演出パターン情報の中から選ばれたある特定の演出パターン情報に基づいて、例えば図４５に示すように、回転板２３を初期姿勢にし、かつ左扉部材４０と右扉部材４１とを垂線Ｌの位置で当接させた状態に制御するとともに、扉部材４０Ａに設けられた第１小発光部３０１，３０２，３０５、第２小発光部４０１，４０２，４０５、第１縁発光部３０３、第２縁発光部４０３によるすべての可動発光部（可動体の発光部）又は第１小発光部３０５、第２小発光部４０５を除いたすべての可動発光部、及び、遊技基板３ｂに設けられたすべての固定発光部（遊技盤の発光部）５０１〜５１６を発光させ、さらに、垂線Ｌの位置で当接した状態の左扉部材４０と右扉部材４１とからなる扉部材４０Ａの左右端と貫通孔３Ｄの孔縁３Ｅの左右端との間の間隔を介して遊技者が目視可能な左右の表示画面領域５２０，５２１に、固定発光部と連続する発光状態を示した画像５２２や、固定発光部及び可動発光部と連続する発光状態を示した画像５２３などを表示する制御を行う。
【００８１】
演出制御装置１０３は、大当り演出やスーパーリーチ演出を含む複数の演出パターン情報の中から選ばれたある特定の演出パターン情報に基づいて、左扉部材４０と右扉部材４１とを垂線Ｌの位置で当接させた状態から回転板２３を回転させることで扉部材４０Ａを垂線Ｌに対して傾かせた状態とし、当該傾かせた状態において扉部材４０Ａに設けられた第１小発光部３０１，３０２、第２小発光部４０１，４０２を発光させるとともに、遊技盤取付部３ａに取付けられた遊技盤３の前方から見て上記発光させる第１小発光部３０１及び第２小発光部４０１と連続する位置にある固定発光部、及び、上記発光させる第１小発光部３０２及び第２小発光部４０２と連続する位置にある固定発光部を発光させる制御を行う。
演出制御装置１０３は、大当り演出やスーパーリーチ演出を含む複数の演出パターン情報の中から選ばれたある特定の演出パターン情報に基づいて、左扉部材４０と右扉部材４１とを垂線Ｌの位置で当接させた状態から回転板２３を回転させることで扉部材４０Ａを傾かせた状態とし、当該傾かせた状態において扉部材４０Ａに設けられた第１縁発光部３０３、第２縁発光部４０３を発光させるとともに、遊技盤取付部３ａに取付けられた遊技盤３の前方から見て上記発光させる第１縁発光部３０３及び第２縁発光部４０３と連続する位置にある固定発光部を発光させる制御を行う。
即ち、演出制御装置１０３は、遊技盤取付部３ａに取付けられた遊技盤３の前方から見て扉部材４０Ａの可動発光部が遊技盤３の固定発光部と直線状又は曲線状に連続するように目視される特定位置に扉部材４０Ａを駆動制御するとともに、扉部材４０Ａが特定位置に位置された場合に、連続する扉部材４０Ａの可動発光部と遊技盤３の固定発光部とを共に発光させる協働光演出を行う。
【００８２】
上記では左扉部材４０と右扉部材４１が当接状態である場合を説明したが、演出制御装置１０３は、大当り演出やスーパーリーチ演出を含む複数の演出パターン情報の中から選ばれたある特定の演出パターン情報に基づいて、左扉部材４０のみが当接状態と同位置にある状態において、扉部材４０Ａに設けられた１つ以上の可動発光部を発光させるとともにこの発光させた可動発光部と連続する位置にある固定発光部を発光させる制御を行う。また、これと同様の制御を右扉部材４１のみが当接状態と同位置にある場合にも行う。
即ち、扉部材４０Ａは、駆動手段としての扉部材駆動機構４０Ｂにより、一方の扉部材が表示画面１４ａの前面で表示画面１４ａに平行に駆動演出され、他方の扉部材が収納部としての部材収容凹部２２ｘに収納された状態で演出される場合がある。
つまり、可動体としての扉部材４０Ａの左扉部材４０及び右扉部材４１は、表示画面１４ａの前方（前面）で表示画面１４ａの少なくとも一部を遮る位置と表示画面１４ａを遮らない位置との間で移動可能に構成されるとともに、表示画面１４ａの少なくとも一部を遮る位置を移動しながら前方に向かって光を発光する発光素子を有した可動発光部を備えたものである。
【００８３】
演出制御装置１０３は、大当り演出やスーパーリーチ演出を含む複数の演出パターン情報の中から選ばれたある特定の演出パターン情報に基づいて、例えば図４６に示すように、遊技者が表示画面１４ａの中央部を目視できるように左扉部材４０と右扉部材４１とが位置された場合に、左扉部材４０と右扉部材４１とで挟まれて遊技者が目視可能な中央の表示画面領域に演出画像を表示するとともに、左扉部材４０や右扉部材４１の直線状発光部や点状発光部による光演出を行う。演出制御装置１０３は、大当り演出やスーパーリーチ演出を含む複数の演出パターン情報の中から選ばれたある特定の演出パターン情報に基づいて、例えば図４５に示すように、表示画面１４ａの中央部で左扉部材４０と右扉部材４１とが当接する位置された場合に、遊技者が目視可能な左右の表示画面領域５２０，５２１に演出画像を表示するとともに、左扉部材４０や右扉部材４１の直線状発光部や点状発光部による光演出を行う。演出制御装置１０３は、大当り演出やスーパーリーチ演出を含む複数の演出パターン情報の中から選ばれたある特定の演出パターン情報に基づいて、左扉部材４０あるいは右扉部材４１のみが当接状態と同位置にある状態において、遊技者が目視可能な表示画面領域に演出画像を表示するとともに、左扉部材４０や右扉部材４１の直線状発光部や点状発光部による光演出を行う。
これらの際、演出制御装置１０３は、ある特定の演出パターン情報に基づいて、直線状発光部の複数の発光素子や点状発光部の複数の発光素子をすべて発光させる全発光演出、又は、直線状発光部の複数の発光部材や点状発光部の複数の発光素子のうちの個々の発光素子を単独で発光させる単独発光演出を行うので、発光素子による発光、消光、点滅による演出パターンを増やせ、これにより、左扉部材４０や右扉部材４１の所々で光の強弱や色や発光パターンなどの違いを出すことができるので、表示画面１４ａに表示する画像による画像演出と関連性のある光演出を行える可能性が増えるので、表示画面１４ａに表示する画像による画像演出と関連性や一体感のある効果的な光演出を行えるようになる。
【００８４】
なお、通常の遊技状態では、回転板２３が初期姿勢に保持され、かつ左扉部材４０と右扉部材４１は退避位置に保持され、第１小発光部３０１，３０２、第１縁発光部３０３、第２小発光部４０１，４０２、第２縁発光部４０３、固定発光部５０１〜５１６はいずれも消灯された状態に制御される。
【００８５】
演出制御装置１０３は、大当り演出やスーパーリーチ演出を含む複数の演出パターン情報の中から選ばれたある特定の演出パターン情報に基づいて、表示画面１４ａに演出画像を表示するとともに、回転板回転駆動機構４０Ｃの駆動を制御して、回転中心Ｏを回転中心として回転板２３を、時計回り（正方向回り）、又は、反時計回り（逆方向回り）に回転させたり、扉部材駆動機構４０Ｂの駆動を制御して、一対の左扉部材４０及び右扉部材４１の双方、あるいはそれら扉部材４０，４１のいずれか一方を、回転中心Ｏに近付く方向、又は、回転中心Ｏから離れる方向に移動させる。これにより、左扉部材４０及び右扉部材４１は遊技盤３の盤面及び表示画面１４ａと平行に移動するが、回転板の回転角度によりその移動方向（言い換えれば、左扉部材４０及び右扉部材４１の位置により開閉方向）が変化することになる（図４７参照）。また、扉部材４０，４１の開き具合（左扉部材４０と右扉部材４１との間の遊技者側から見た距離）により、回転中心Ｏ近傍に表示可能な表示画面１４ａの画像の表示面積や演出用の特別図柄４５３の表示位置も変化することになる。
演出制御装置１０３は、大当り演出やスーパーリーチ演出を含む複数の演出パターン情報の中から選ばれたある特定の演出パターン情報に基づいて、表示画面１４ａに演出画像を表示するとともに、回転中心Ｏを回転中心として回転板２３を、時計回り、又は、反時計回りに回転させた場合、回転板２３の回転方向及び回転角度に合わせて表示画面１４ａに表示している演出画像を表示画面１４ａの中心を回転中心として回転させた演出画像として表示画面１４ａに表示させるよう画像表示装置１４を制御する（図４７（ｃ）参照）。
演出制御装置１０３は、大当り演出やスーパーリーチ演出を含む複数の演出パターン情報の中から選ばれたある特定の演出パターン情報に基づいて、表示画面１４ａに演出画像を表示するとともに、回転中心Ｏを回転中心として回転板２３を、時計回り、又は、反時計回りに回転させた場合、回転板２３の回転方向及び回転角度に合わせて表示画面１４ａに表示している演出画像４５０の内容や演出用の特別図柄４５３の表示位置を変化させて表示画面１４ａに表示させるよう画像表示装置１４を制御する（図４８参照）。
演出制御装置１０３は、大当り演出やスーパーリーチ演出を含む複数の演出パターン情報の中から選ばれたある特定の演出パターン情報に基づいて、表示画面１４ａに演出画像を表示するとともに、回転中心Ｏを回転中心として回転板２３を、時計回り、又は、反時計回りに回転させた場合、表示画面１４ａに表示している演出画像４５１の内容と関連した光演出を第１小発光部３０１の発光を制御して行う（図４９参照）。
演出制御装置１０３は、大当り演出やスーパーリーチ演出を含む複数の演出パターン情報の中から選ばれたある特定の演出パターン情報に基づいて、表示画面１４ａに演出画像を表示するとともに、両扉部材４０，４１が表示画面１４ａの外部位置にある状態から左扉部材４０及び右扉部材４１のうちの少なくとも一方を、回転中心Ｏに近付く方向に移動させた場合、又は、両扉部材４０，４１が表示画面１４ａの回転中心Ｏのところで閉じた状態から少なくとも一方を回転中心Ｏから離れる方向に移動させた場合、表示画面１４ａに表示している演出画像４５２の内容と関連した光演出を第２小発光部４０５を制御して行う（図５０参照）。
【００８６】
図４２に示すように、発射払出制御装置１０５は、発射装置１０９及び払出機構１１０を制御する。即ち、発射操作機構６の図外の接触センサから主制御装置１０２に信号が送出されて手が発射操作機構６に接触して操作されていることを主制御装置１０２が認識した場合に発射装置１０９の発射力を制御し、また、主制御装置１０２からの入賞があったことを示す信号に基づいて払出機構１１０による球の払出を制御する。
【００８７】
次にパチンコ機Ｐの遊技制御の流れを説明する。
主制御装置１０２が電力供給で起動し、受皿７に球が入れられた状態において、遊技者が発射操作機構６を操作すると、主制御装置１０２が発射装置１０９を駆動し、発射装置１０９が受皿７から供給された球を１個ずつ発射操作機構６による操作量に応じた発射力で遊技領域９に向けて発射する。
遊技領域９に発射された球が第１始動入賞部品１６又は第２始動入賞部品１７に入賞（始動入賞）すると、主制御装置１０２は、第１始動入賞口センサ１００又は第２始動入賞口センサ１０１からの始動入賞検出信号を入力したタイミングで抽選カウンタから乱数値を取得し、取得した乱数値を当り外れ参照テーブルに照合して当り外れ情報及び演出時間情報を取得し、当該乱数値と当り外れ情報と演出時間情報とを記憶装置に記憶する。主制御装置１０２は、記憶装置に記憶された乱数値を演出制御装置１０３に送信する。
【００８８】
演出制御装置１０３は、主制御装置１０２から送られてきた乱数値を演出パターン参照テーブルに照合して演出パターン情報を取得し、演出パターン情報に基づいて演出装置を制御する演出制御を行う。
【００８９】
主制御装置１０２は、演出時間情報による演出時間が経過したことを認識した後に、記憶装置に記憶されている当り外れ情報が当りであるか外れであるかを判定し、当り外れ情報が当りであると判定した場合には、大当り遊技を行う。大当り遊技とは、主制御装置１０２が可変入賞部品１９の開閉体を所定回数又は所定時間開閉する遊技である。大当り遊技では、開閉体が開いてから球が可変入賞部品１９の大入賞口センサ１０７に特定数（例えば９個）入賞するか、開閉体が開いてから所定時間（例えば２４秒）経過する度に、開閉体は一旦閉じられる。この一旦閉じるまでの間をラウンドといい、ラウンドは所定回数（例えば、１５ラウンド）まで継続する。
【００９０】
本実施形態に係るパチンコ機Ｐは、演出画像を表示画面１４ａに表示する画像表示装置１４と、表示画面１４ａの前方に配置された遊技盤３と、遊技盤３と表示画面１４ａとの間に設けられて遊技盤３の盤面（遊技盤３の前板３ｆの前面や遊技基板３ｂの後面における平坦面）に平行な面内で回転駆動される回転板２３とを備え、遊技盤３は、表示画面１４ａを目視可能とする画像視認孔としての筒孔１０ｘを備え、回転板２３は、表示画面１４ａを目視可能とする画像視認孔としての貫通孔３３を備えるとともに、遊技盤３の前方から見た場合において遊技盤３及び回転板２３の画像視認孔の内側及び外側に出没可能な可動体としての扉部材４０Ａを備え、扉部材４０Ａの可動発光部を発光させる光演出と遊技盤３の固定発光部を発光させる光演出とを制御して、遊技盤３の前方から見た場合に扉部材４０Ａの可動発光部による光演出と遊技盤３の固定発光部による光演出とが互いに協働して連続状発光表示形態となる協働光演出を行う演出制御装置１０３を備えたので、扉部材４０Ａの可動発光部による光演出と遊技盤３の固定発光部による光演出とが協働した一体感のある効果的な協働光演出を実現できるようになる。
さらに、演出制御装置１０３は、遊技盤３の前方から見て扉部材４０Ａの可動発光部が遊技盤３の固定発光部と直線状又は曲線状に連続するように目視される特定位置に扉部材４０Ａを駆動制御するとともに、扉部材４０Ａが特定位置に位置された場合に、連続する可動発光部と固定発光部とを共に発光させる協働光演出を行うので、扉部材４０Ａの動きと当該協働光演出とが関連した一連の連続した演出を実現できるようになる。
また、演出制御装置１０３は、扉部材４０Ａを、遊技者が画像視認孔を介して目視可能な位置と目視できない位置とに制御するとともに、回転板２３を表示画面１４ａの前方で回転させるので、表示画面１４ａに表示される画像演出と扉部材４０Ａ及び回転板２３の動き演出とによる一体感及び立体感のある演出を画像視認孔を介して遊技者に見せることが可能となる。
また、回転板２３が回転制御されることにより遊技者が画像視認孔を介して目視可能な表示画面１４ａの領域が変動する。また、扉部材４０Ａが開閉制御されることで遊技者が画像視認孔を介して目視可能な表示画面１４ａの領域が変動する。よって、目視可能な表示画面１４ａの領域が変動するような演出を遊技者に見せることが可能となる。
【００９１】
本実施形態に係るパチンコ機Ｐにおいて、可動体である左扉部材４０と右扉部材４１とは、回転板２３に対して移動することで表示画面１４ａの前方で移動でき、回転板２３の回転により表示画面１４ａの前方で回転できる。そして、回転板２３の回転角度が所定角度になり、かつ左扉部材４０及び右扉部材４１の少なくとも一方が回転板２３の所定位置に位置するときに、第１小発光部３０１、第２小発光部４０１、第１小発光部３０２、第２小発光部４０２、第１縁発光部３０３、第２縁発光部４０３のいずれかと、固定発光部５０１〜５１６のいずれかとが線状に並び、線状に並んだものの一部又は全部が発光することによって、表示画面１４ａ側の領域と表示画面１４ａの外側の領域との間で連なる線状の光の演出が行われる。つまり、表示画面１４ａの前方において左扉部材４０と右扉部材４１の回転動作及びスライド動作の少なくとも一方が行われることによって、表示画面１４ａの外側における線状の固定発光部５０１〜５１６に関わる表示画面１４ａ側の領域での演出の面白みを向上させることができる。
【００９２】
本実施形態に係るパチンコ機Ｐは、左扉部材４０に可動発光部としての第１小発光部３０１，３０２とを有し、右扉部材４１に可動発光部としての第２小発光部４０１，４０２を有する。つまり、第１小発光部３０１と第２小発光部４０１とを線状に並べたり離隔させたりすることができ、第１小発光部３０２と第２小発光部４０２と線状に並べたり離隔させたりすることができる。これによって、表示画面１４ａ側の領域における演出の趣向をさらに向上させることができる。
【００９３】
本実施形態に係るパチンコ機Ｐは、左扉部材４０に可動発光部としての第１縁発光部３０３を有し、右扉部材４１に可動発光部としての第２縁発光部４０３を有する。つまり、第１縁発光部３０３と第２縁発光部４０３を近接させたり、離隔させることができる。これによっても、表示画面１４ａ側の領域における演出の趣向をさらに向上させることができる。
【００９４】
即ち、本実施形態に係るパチンコ機Ｐは、遊技盤３の前方に向かって発光する発光素子を持つ発光部を有した可動体としての扉部材４０Ａを備え、扉部材４０Ａの発光素子を発光させる光演出と表示画面１４ａの画像演出とを制御する演出制御装置１０３を備えるので、光演出と画像演出とが互いに協働した演出を行うことができる。特に、扉部材４０Ａの発光部として、所定間隔を隔てて一直線上に設置された複数の発光素子を有した直線状発光部と、１個又は接近して設置された複数の発光素子を有した点状発光部とを備え、演出制御装置１０３は、直線状発光部の複数の発光素子や点状発光部の複数の発光素子をすべて発光させる全発光演出、又は、直線状発光部の複数の発光素子や点状発光部の複数の発光素子のうちの個々の発光部材を単独で発光させる単独発光演出を行うので、発光素子による発光、消光、点滅による演出パターンが増え、表示画面１４ａに表示する画像による画像演出と関連性や一体感のあるより効果的な光演出を行えるようになる。
【００９５】
本実施形態に係るパチンコ機Ｐによれば、画像表示装置１４を制御して表示画面１４ａに演出画像を表示するとともに、回転板回転駆動機構４０Ｃを制御して回転中心Ｏを回転中心として回転板２３を、時計回り、又は、反時計回りに回転させたり、扉部材駆動機構４０Ｂを制御して左扉部材４０及び右扉部材４１を、回転中心Ｏに近付く方向、又は、回転中心Ｏから離れる方向に移動させる演出制御装置１０３を備えたので、左扉部材４０及び右扉部材４１は遊技盤３の盤面及び表示画面１４ａと平行に移動するが、図４７に示すように、回転板２３の回転角度により左扉部材４０及び右扉部材４１の移動方向Ｘ（言い換えれば、左扉部材４０及び右扉部材４１の位置により開閉方向）が変化することになるので、扉部材４０Ａの回転及び移動方向変化と表示画面領域変化とによる変化に富んだ演出を実現できる。
【００９６】
本実施形態に係るパチンコ機Ｐによれば、画像表示装置１４を制御して表示画面１４ａに演出画像を表示するとともに、回転中心Ｏを回転中心として回転板２３を、時計回り、又は、反時計回りに回転させた場合、図４７（ｃ）に示すように、回転板２３の回転方向及び回転角度に合わせて表示画面１４ａに表示している演出画像を表示画面１４ａの中心を回転中心として回転させた演出画像として表示画面１４ａに表示させるよう画像表示装置１４を制御する演出制御装置１０３を備えたので、扉部材４０Ａの回転と表示画面１４ａに表示された画像の回転との協働演出による変化に富んだ演出を実現できる。尚、演出制御装置１０３は、回転板２３の回転方向を第１フォトインタラプタ２５，第２フォトインタラプタ２６からの信号に基づいて判定し、回転板２３の回転角度をステッピングモータのような回転駆動モータ２９からのパルス信号に基づいて判定することにより、回転板２３が画像表示装置１４の表示画面１４ａに表示する画像の回転角度に対応した角度で停止するように回転板回転駆動機構４０Ｃを駆動制御する。
【００９７】
本実施形態に係るパチンコ機Ｐによれば、画像表示装置１４を制御して表示画面１４ａに演出画像を表示するとともに、回転中心Ｏを回転中心として回転板２３を、時計回り、又は、反時計回りに回転させた場合、回転板２３の回転に合わせて表示画面１４ａに表示している演出画像の内容を変化させて表示画面１４ａに表示させるよう画像表示装置１４を制御する演出制御装置１０３を備えたので、例えば、図４８（ａ）〜（ｃ）に示すように、扉部材４０Ａが漸次回転しながら閉じるに従って、遊技者に向かって例えば弾丸のような演出画像４５０が次第に大きくなっていくように変化する動画像を表示画面１４ａに表示するよう画像表示装置１４が制御される。よって、扉部材４０Ａの回転及び開閉動作と表示画面１４ａに表示された画像との協働演出による変化に富んだ臨場感のある演出を実現できる。
【００９８】
本実施形態に係るパチンコ機Ｐによれば、画像表示装置１４を制御して表示画面１４ａに演出画像を表示するとともに、回転中心Ｏを回転中心として回転板２３を、時計回り、又は、反時計回りに回転させた場合、表示画面１４ａに表示している演出画像の内容と関連した光演出を対応するいずれかの扉部材４０，４１の第１小発光部３０１を制御して行う演出制御装置１０３を備えたので、例えば、図４９に示すように、回転中心Ｏを回転中心として回転している状態の左扉部材４０の第１小発光部３０１の発光による光演出を表示画面１４ａに表示する発光を表すようなエフェクト画像４５１の表示のタイミングに合せてほぼ同時に行うことで、回転した扉部材４０Ａの可動発光部と表示画面１４ａに表示された画像との協働演出による変化に富んだ刺激的な演出を実現できる。
【００９９】
本実施形態に係るパチンコ機Ｐによれば、画像表示装置１４を制御して表示画面１４ａに演出画像を表示するとともに、左扉部材４０及び右扉部材４１のうちの少なくとも一方を、回転中心Ｏに近付く方向、又は、回転中心Ｏから離れる方向に移動させた場合、表示画面１４ａに表示している演出画像４５２の内容と関連した光演出を第２小発光部４０５を制御して行う演出制御装置１０３を備えたので、例えば、図５０に示すように、表示画面前方の中央部に位置する右扉部材４１の第２小発光部４０５の発光による光演出により表示画面１４ａに表示されている例えば悪人のような演出画像４５２を撃っているような演出を行えるので、扉部材４０Ａの可動発光部と表示画面１４ａに表示された画像との協働演出による変化に富んだ刺激的な演出を実現できる。
尚、図５０の表示画面１４ａの右端に存在する右扉部材４１によって遮られていない表示画面１４ａｂは、演出の形態によって、他の表示画面１４ａと連続する背景画像等の画像の表示がなされる場合と、画像表示が全くなされず黒画面になる場合とがある。この黒画面表示を出すことにより、演出に意外性を持たせるとともに、画像が表示されている領域をいっそう引き立たせて、演出画像と扉部材との協働演出を際立たせることができる。また、表示画面１４ａｂに黒画面表示が表示される場合には、図５０の表示画面１４ａｂのように右扉部材１４の右側に表示画面１４ａｂが設けられる場合の他、左扉部材４０の左側に表示画面１４ａｂが設けられる場合もある。さらに、これら表示画面１４ａｂの黒画面表示が出される場合において、演出用の特別図柄４５３がこの黒画面表示された表示画面１４ａｂ中に表示される場合もある。黒画面中に演出用の特別図柄４５３を表示させることにより、演出用の特別図柄４５３を特に目立たせることができるので、確変図柄のリーチ状態等、図柄が揃うと特に遊技者に有利な状態に成り得る場合の演出時等に用いると、演出画像と扉部材との協働演出とともにその演出用の特別図柄４５３にも注目させることができる。
【０１００】
本実施形態に係るパチンコ機Ｐによれば、演出制御装置１０３は、回転板回転駆動機構４０Ｃを制御して扉部材４０Ａを所定角度回転させた状態で、左扉部材４０及び右扉部材４１のうちの少なくとも一方を、扉部材駆動機構４０Ｂを制御して、回転中心Ｏに近付く方向、又は、回転中心Ｏから離れる方向に移動させる制御を行うので、左扉部材４０及び右扉部材４１の両方を移動させる場合に比べて、より変化に富んだ演出を実現できる。即ち、演出制御装置１０３は、扉部材４０Ａを所定角度回転させた状態で、左右両開きの一対の左扉部材４０及び右扉部材４１の各扉部材を連動して又は各扉部材をそれぞれ単独で移動させるので、回転板２３と扉部材４０Ａとの協働演出による変化に富んだ演出を実現できる。
【０１０１】
本実施形態に係るパチンコ機Ｐによれば、回転板２３及び扉部材４０Ａ（可動体）が遊技盤３と表示画面１４ａとの間に設けられたので、回転板２３及び扉部材４０Ａと表示画面１４ａとの間の距離が短くなるため、扉部材４０Ａの回転及び移動動作と表示画面１４ａの画像との一体感が増した演出が可能となるので、扉部材４０Ａの回転及び移動動作と表示画面１４ａに表示された画像との協働演出による一体感のある変化に富んだ演出を実現できる。
【０１０２】
可動体は、回転板２３の貫通孔３３を上下に開閉する可動体、貫通孔３３の４角からそれぞれ個別に貫通孔３３の内外に出没するような可動体などであってもよい。
【０１０３】
回転板２３及び可動体は、遊技基板３ｂの前面と中央部装飾ユニット１０との間に設けたり、中央部装飾ユニット１０の代わりに遊技基板３ｂの前面に設けてもよい。
また、回転板２３を設けなくともよく、この場合、表示画面１４ａの前方に現れて表示画面１４ａの少なくとも一部を遮る状態と表示画面１４ａの前方より外れて表示画面１４ａを遮らない状態とに可動可能に構成された可動体を設ければよい。
【符号の説明】
【０１０４】
３  遊技盤、１０ｘ  筒孔（孔）、１４  画像表示装置、１４ａ  表示画面、
２３  回転板、３３  貫通孔（開口）、４０  左扉部材（扉部材）、
４０Ａ  扉部材（可動体）、４０Ｂ  扉部材駆動機構（駆動手段）、
４０Ｃ  回転板回転駆動機構（駆動手段）、４１  右扉部材（扉部材）、
１０３  演出制御装置、３０１，３０２  第１小発光部（発光部、直線状発光部）、
４０１，４０２  第２小発光部（発光部、直線状発光部）、
３０３  第１縁発光部（発光部、直線状発光部）、
４０３  第２縁発光部（発光部、直線状発光部）、
３０５  第１小発光部（発光部、点状発光部）、
４０５  第２小発光部（発光部、点状発光部）。
【図１】
0005581070.tif 000002
【図２】
0005581070.tif 000003
【図３】
0005581070.tif 000004
【図４】
0005581070.tif 000005
【図５】
0005581070.tif 000006
【図６】
0005581070.tif 000007
【図７】
0005581070.tif 000008
【図８】
0005581070.tif 000009
【図９】
0005581070.tif 000010
【図１０】
0005581070.tif 000011
【図１１】
0005581070.tif 000012
【図１２】
0005581070.tif 000013
【図１３】
0005581070.tif 000014
【図１４】
0005581070.tif 000015
【図１５】
0005581070.tif 000016
【図１６】
0005581070.tif 000017
【図１７】
0005581070.tif 000018
【図１８】
0005581070.tif 000019
【図１９】
0005581070.tif 000020
【図２０】
0005581070.tif 000021
【図２１】
0005581070.tif 000022
【図２２】
0005581070.tif 000023
【図２３】
0005581070.tif 000024
【図２４】
0005581070.tif 000025
【図２５】
0005581070.tif 000026
【図２６】
0005581070.tif 000027
【図２７】
0005581070.tif 000028
【図２８】
0005581070.tif 000029
【図２９】
0005581070.tif 000030
【図３０】
0005581070.tif 000031
【図３１】
0005581070.tif 000032
【図３２】
0005581070.tif 000033
【図３３】
0005581070.tif 000034
【図３４】
0005581070.tif 000035
【図３５】
0005581070.tif 000036
【図３６】
0005581070.tif 000037
【図３７】
0005581070.tif 000038
【図３８】
0005581070.tif 000039
【図３９】
0005581070.tif 000040
【図４０】
0005581070.tif 000041
【図４１】
0005581070.tif 000042
【図４２】
0005581070.tif 000043
【図４３】
0005581070.tif 000044
【図４４】
0005581070.tif 000045
【図４５】
0005581070.tif 000046
【図４６】
0005581070.tif 000047
【図４７】
0005581070.tif 000048
【図４８】
0005581070.tif 000049
【図４９】
0005581070.tif 000050
【図５０】
0005581070.tif 000051